(57)【要約】【課題】主電源の供給状態で第１基板と第２基板との間で電気的な接続または解除がなされるのを抑制し得ると共に、接続または解除がされても基板に実装された基板部品の破損を防止し得る遊技機を提供する。【解決手段】主電源に電気的に接続する演出制御基板と、演出制御基板に電気的に接続または解除される前枠中継基板とを備える。演出制御基板と前枠中継基板とを接続する電気供給ライン１６２とアースライン１６３との間に、定電圧ダイオード１４５が介装される。低電圧ダイオード１４５は、演出制御基板と前枠中継基板とを電気的に接続する第４中継基板１０３に配設される。遊技盤が配置される中枠に、主電源の供給状態で点灯する報知ＬＥＤが設けられる。【選択図】図９
2018000630.tif 000002
【特許請求の範囲】
【請求項１】
主電源に電気的に接続する第１基板と、前記第１基板に電気的に接続または解除されると共にアースラインを有する第２基板とを備える遊技機において、
前記第１基板と前記第２基板とを接続する電気供給ラインと前記アースラインとの間に介装された定電圧ダイオードと、
前記主電源の供給状態を報知する報知手段とを備えた
ことを特徴とする遊技機。
【請求項２】
前記定電圧ダイオードの降伏電圧は、前記第１基板と前記第２基板との間で電気的な接続または解除がされた際に瞬発するサージ電圧よりも充分低い値が選定されている請求項１記載の遊技機。
【請求項３】
前記報知手段は、前記主電源の供給状態で発光する発光手段であって、
前記第１基板および前記第２基板のうちで、前記電気的な接続または解除の作業が容易な少なくとも一方の基板に前記発光手段が設けられている請求項１または２記載の遊技機。
【請求項４】
前記報知手段による報知に関連する事項を視認可能に表示する表示部材が設けられている請求項１〜３の何れか一項に記載の遊技機。
【請求項５】
前記定電圧ダイオードは、前記第１基板と前記第２基板とを電気的に接続する中継基板における電源供給配線とアース配線との間に介装されると共に、
前記定電圧ダイオードは、前記中継基板における前記第１基板および前記第２基板が接続される接続手段が実装された板面と反対の板面に設けられている請求項１〜４の何れか一項に記載の遊技機。
【発明の詳細な説明】
【技術分野】
【０００１】
本発明は、主電源に電気的に接続する第１基板と、前記第１基板に電気的に接続されると共にアースラインを有する第２基板とを備える遊技機に関するものである。
【背景技術】
【０００２】
遊技機の一種であるパチンコ機は、遊技店の設置枠台に固定される固定枠としての外枠の開口前面側に、遊技盤を着脱可能に保持する本体枠としての中枠が開閉および着脱可能に組み付けられている。前記中枠の前面側には、前記遊技盤を透視保護すると共にパチンコ球を貯留する球受け皿が設けられた装飾枠としての前枠が開閉可能に組み付けられている。そして、前記パチンコ機は、外部電源から供給される電気により作動する各種電気機器および装置が、前記中枠、遊技盤および前枠に多数装備されている。例えば、中枠には、パチンコ球を遊技盤へ打ち出す打球発射装置等の各種電気機器が配設され、前記遊技盤には、各種入賞装置、図柄表示装置および可動演出装置等の各種電気機器が配設され、前記前枠には装飾装置等の電気機器が配設されている。これら電気機器は、中継基板を介して接続された制御基板によって作動制御される。すなわち、制御基板と中継基板とが、配線等により接続および解除が可能に接続されると共に、該中継基板と電気機器とが、配線等により接続および解除が可能に接続されている。
【０００３】
ここで、前記パチンコ機は、前記中枠に対して、前枠および遊技盤が着脱および交換が可能に構成されている。従って、遊技盤および前枠を別の遊技盤および前枠に交換することにより、遊技内容が異なる仕様のパチンコ機に変更することが可能となっている。
【先行技術文献】
【特許文献】
【０００４】
【特許文献１】特開２００４−２８３２５６号公報
【発明の概要】
【発明が解決しようとする課題】
【０００５】
前述したパチンコ機では、前記遊技盤や前枠の交換作業に際して、前記電気機器に関連する基板と配線との接続および接続解除を行う作業が伴うことから、主電源を遮断した状態にしたもとで、遊技盤や前枠の交換作業を行うのが望ましい。しかしながら、主電源の供給状態であるか否かが解り難く、遊技盤や前枠の交換作業に際して、主電源を遮断することなく前記電気機器に関連する基板と配線との接続および接続解除が行われることがある(「活線挿抜」とも云う)。このように、主電源の供給状態で基板と配線との接続および接続解除が行われた場合には、該基板や電気機器に規定電圧以上の過電流が流れることがあり、該基板に実装されたＩＣやダイオード等の基板部品が破損することがある。
【０００６】
すなわち本発明は、従来の技術に内在する前記問題を解決するべく提案されたものであって、主電源の供給状態で第１基板と第２基板との間で電気的な接続または解除がなされるのを抑制し得ると共に、該接続または解除がされても基板に実装された基板部品の破損を防止し得るよう構成した遊技機を提供することを目的とする。
【課題を解決するための手段】
【０００７】
前記課題を解決し、所期の目的を達成するため、本願の請求項１に係る発明は、
主電源に電気的に接続する第１基板(151,172)と、前記第１基板(151,172)に電気的に接続または解除されると共にアースライン(163)を有する第２基板(157)とを備える遊技機において、
前記第１基板(151,172)と前記第２基板(157)とを接続する電気供給ライン(162)と前記アースライン(163)との間に介装された定電圧ダイオード(145)と、
前記主電源の供給状態を報知する報知手段(170)とを備えたことを要旨とする。
これによれば、主電源の供給状態を報知手段によって報知するので、作業者に主電源の供給状態であることを認識させることができ、第１基板と第２基板との間で電気的な接続または解除を行う際に主電源を遮断することを促して基板部品の破損を防止し得る。また、主電源の供給状態において第１基板と第２基板の間で電気的な接続または解除がされた場合であっても、電気供給ラインとアースラインとの間に介装されている定電圧ダイオードが、定常電圧よりも高い電圧が第２基板にかかるのを規制するので、該第２基板に実装された基板部品が破損するのを好適に防止することができる。
【０００８】
請求項２に係る発明では、
前記定電圧ダイオード(145)の降伏電圧は、前記第１基板(151,172)と前記第２基板(157)との間で電気的な接続または解除がされた際に瞬発するサージ電圧よりも充分低い値が選定されていることを要旨とする。
これによれば、主電源の供給状態において第１基板と第２基板の間で電気的な接続または解除がされた際に、定電圧ダイオードの降伏電圧以上の電圧の電流が第２基板にかからないので、第２基板に実装された基板部品が破損するのを防止することができる。
【０００９】
請求項３に係る発明では、
前記報知手段(170)は、前記主電源の供給状態で発光する発光手段(170)であって、
前記第１基板(151,172)および前記第２基板(157)のうちで、前記電気的な接続または解除の作業が容易な少なくとも一方の基板(172)に前記発光手段(170)が設けられていることを要旨とする。
これによれば、作業者が第１基板と第２基板の間での電気的な接続または解除を行う可能性の高い作業性が容易な方の基板に報知手段としての発光手段を設けているので、接続または解除の作業に際して主電源の供給状態であることを作業者に好適に認識させ得る。
【００１０】
請求項４に係る発明では、
前記報知手段(170)による報知に関連する事項を視認可能に表示する表示部材(171)が設けられていることを要旨とする。
これによれば、作業者が表示部材を視認することで報知手段の報知に関連する事項を理解し得るので、第１基板と第２基板の間での電気的な接続または解除を行う際に主電源を遮断することを好適に促すことができる。
【００１１】
請求項５に係る発明では、
前記定電圧ダイオード(145)は、前記第１基板(151,172)と前記第２基板(157)とを電気的に接続する中継基板(103)における電源供給配線(164)とアース配線(165)との間に介装されると共に、
前記定電圧ダイオード(145)は、前記中継基板(103)における前記第１基板(151,172)および前記第２基板(157)が接続される接続手段(103a)が実装された板面(103A)と反対の板面(103B)に設けられていることを要旨とする。
これによれば、定電圧ダイオードを、第１基板と第２基板とを電気的に接続する中継基板に配設するので、該定電圧ダイオードの配設に際して、第１基板および第２基板の基板構成を変更する必要がない。これにより、コストを掛けることなく、第１基板および第２基板に実装された基板部品の破損を防止することができる。また、中継基板の接続手段と第１基板または第２基板の接続手段とを電気的に接続または解除する際に、該第１基板または第２基板側の接続手段が定電圧ダイオードに接触することによる該定電圧ダイオードの破損を防止し得る。
【発明の効果】
【００１２】
本発明に係る遊技機によれば、主電源が供給状態であることを注意喚起することができ、第１基板と第２基板との間で電気的な接続または解除を行う際には主電源を遮断することを促し得る。また、主電源の供給状態で第１基板と第２基板との間で電気的な接続または解除がされても、該基板に実装された基板部品の破損を防止することができる。
【図面の簡単な説明】
【００１３】
【図１】実施例のパチンコ機の正面図である。
【図２】実施例のパチンコ機を、中枠に対して前枠を開放した状態で示す要部斜視図である。
【図３】実施例のパチンコ機に設置される遊技盤の正面図である。
【図４】各種装置や基板が配設された設置部材を後側に取り付けた遊技盤の背面図である。
【図５】枠状装飾体、遊技盤、設置部材およびメイン表示装置を分離して示す斜視図である。
【図６】実施例のパチンコ機の電気的な構成を概略的に示すブロック図である。
【図７】中枠の遊技盤保持部に臨む位置に設けられた中枠ドッキングコネクタを示す部分斜視図である。
【図８】(ａ)は、第４中継基板を表面側から見た斜視図、(ｂ)は、第４中継基板を後面側から見た斜視図である。
【図９】電源供給配線とアース配線との間に定電圧ダイオードを介装した第４中継基板の回路図である。
【図１０】各基板設置部に中継基板が設置された設置部材の下部拡大図である。
【図１１】第３中継基板の基板コネクタに接続された第３電気配線の配設状態と、別の基板コネクタに接続された第２電気配線の配設状態と、第４中継基板の第８電気配線の配設状態とを示す説明図である。
【図１２】図１１のＸ２−Ｘ２線断面図およびＡ部拡大図である。
【図１３】第１中継基板の基板コネクタに配線コネクタが接続された各電気配線の配設態様を示す説明図である。
【図１４】図１０のＸ１−Ｘ１線で破断した断面図である。
【図１５】配線導出部の構成を、枠状装飾体、遊技盤および設置部材を分離して示す部分斜視図である。
【図１６】枠状装飾体の分解斜視図である。
【図１７】(ａ)は、カバー部材および配線案内部が分離した状態を前側右斜め上方から見た斜視図、(ｂ)は、カバー部材および配線案内部が分離した状態を後側左斜め上方から見た斜視図である。
【図１８】別実施例のパチンコ機を、中枠に対して前枠を開放した状態で示す要部斜視図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠(本体部材)１２が、開閉および着脱可能に組み付けられている。そして、図３に示すように、遊技盤２０の後側に、所定条件の成立(後述する第１始動入賞装置３０または第２始動入賞装置３４へのパチンコ球(遊技球)の入賞)を契機として演出用の図柄(以下飾図という)を変動表示させて図柄変動演出を行う演出実行手段としてのメイン表示装置(表示装置)１０５が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠(開閉部材)１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。
【００１６】
(中枠１２について)
前記中枠１２は、図１に示すように、上縁をなす上枠部と、下縁をなして打球発射装置２６等が設置された下枠部と、左側縁をなす左枠部と、右側縁をなす右枠部とから構成され、全体が外枠１１の開口に整合する矩形枠状に形成される。中枠１２には、図２,図７に示すように、遊技盤２０を前側から着脱可能に設置し得る遊技盤保持部１２ａが設けられている。そして中枠１２は、外枠１１の左上および左下に設けられたヒンジ２７,２７を介して該外枠１１に枢支され、該外枠１１に対して左側端部を中心として開閉し得るようになっている。なお中枠１２は、上下左右の各枠部が一体成形されたものであってもよいし、各枠部が別体に成形されて相互に組み付けたものであってもよい。図２において、遊技盤２０の前面に配設されている各種の遊技部品は、後述する遊技領域２１を画成するレール２２,２３および盤面飾り部材２４を除いて図示省略してある。なお、図２においてメイン表示装置(表示装置)１０５を二点鎖線で示している。
【００１７】
前記遊技盤保持部１２ａを画成する各枠部の内面には、内側に突出する段部(図示せず)が夫々設けられている。また、上枠部の下面および下枠部における左端部の上面には、前記左枠部における段部の前面から前側に遊技盤２０の厚みと略同寸法だけ離間する位置に、内側(遊技盤保持部１２ａ側)に突出する固定突部２８が夫々が突設されている(図２参照)。また、上枠部および下枠部の右端部には、段部との間で遊技盤２０の右側上下端部を挟持する固定具２９が夫々設けられている。すなわち、中枠１２に対して遊技盤２０は、遊技盤保持部１２ａに対して前側から斜めに遊技盤２０を臨ませて、該遊技盤２０の左側端部を前記段部と固定突部２８,２８との間に差し込んだ状態で、遊技盤２０の右側端部を押し込んで該遊技盤２０の左側端部を中心に回動させて遊技盤２０の全体を遊技盤保持部１２ａに臨ませ、該遊技盤２０の右端部の裏面を段部に当接させる。そして、前記固定具２９,２９を遊技盤２０の右側上下端部の前面に当接して段部との間で挟持することで、遊技盤２０は中枠１２の遊技盤保持部１２ａ内に設置される。
【００１８】
なお、前記遊技盤２０の左側端部を段部と固定突部２８,２８とで支持する構成に代えて、前記中枠１２における左枠部の内側の上下に離間する位置に、前記遊技盤２０の左側端部を着脱可能に保持する回転保持具を回転自在に配設し、遊技盤２０の左側端部を回転保持具で保持した状態で、遊技盤２０を左側端部(回転保持具)を中心に回動させて前記遊技盤保持部１２ａに臨ませる構成を採用し得る。この回転保持具を用いる構成では、該回転保持具によって遊技盤２０の左側端部が保持された状態で、該遊技盤２０の右側端部が段部と固定具２９,２９とで前後から挟持された状態で位置決め固定される。
【００１９】
前記中枠１２には、図７に示すように、前記遊技盤保持部１２ａの右下角部に、中枠ドッキングコネクタ８１,８２,８３が複数(実施例では３つ)配設されている。このうち第１中枠ドッキングコネクタ８１は、遊技盤２０を遊技盤保持部１２ａに取り付けた際に、該遊技盤２０の後側に取り付けられた設置部材９０(図４参照)に設置した第３中継基板１０２の第１ドッキングコネクタ１０２ａに接続されるようになっている。第２中枠ドッキングコネクタ８２は、遊技盤２０を遊技盤保持部１２ａに取り付けた際に、前記第３中継基板１０２に配設した第２ドッキングコネクタ１０２ｂに接続される。また、第３中枠ドッキングコネクタ８３は、遊技盤２０を遊技盤保持部１２ａに取り付けた際に、前記設置部材９０(図４参照)に配設した第４中継基板１０３に配設したドッキングコネクタ１０３ａに接続される。
【００２０】
(前枠１３について)
前記前枠１３は、図１に示すように、前記中枠１２の外郭形状に略合致する板状に形成されると共に前後方向に開口する前記窓口１３ａが開設された枠本体の前側に、該窓口１３ａを囲むように複数の装飾部材１３ｂが取り付けられている。装飾部材１３ｂ内には、ＬＥＤチップを実装したランプ装置１７が複数配設され、各ランプ装置１７のＬＥＤチップが発光制御されることで装飾部材１３ｂの光透過部分が明輝されるようになっている。また、前枠１３の上部左側および上部右側には、スピーカ１８が配設されている。
【００２１】
また、図１に示すように、前枠１３の右下方位置には、中枠１２に配設された打球発射装置２６および該前枠１３の後側に配設された球送り装置(図示せず)を作動する操作ハンドル１６が設けられている。この操作操作ハンドル１６は、回転操作可能な操作レバーを備えており、該操作レバーを回転操作することで、球送り装置および打球発射装置２６が連動して作動制御されて、上球皿１４に貯留されたパチンコ球が所定間隔で１球ずつ遊技盤２０に向けて発射されるようになっている。
【００２２】
(遊技盤２０について)
前記遊技盤２０は、図３に示すように、前記中枠１２に設けた遊技盤保持部１２ａの内縁形状に整合する外縁形状に形成された略矩形の板部材であり、その前側には遊技領域２１が設けられると共に、その後側には設置部材９０(図４、図５参照)が取り付けられるようになっている。実施例の遊技盤２０は、透明な合成樹脂材により形成されており、遊技領域２１の後側に配設された可動演出装置７５,７６、装飾部材１１９、各サブ表示装置１０６,１０７,１０８等が透視可能となっている(図３では、図面の煩雑を避けるため透視されていない状態で図示している)。遊技盤２０の前側には、左下部から右上部にかけて円弧状に延在する外レール２２と、この外レール２２の内側に右下部から左上部にかけて並べて配置された内レール２３と、外レール２２の右上部から内レール２３の右下部までの間の右方へ凹む湾曲形状に構成された盤面飾り部材２４等が配設されており、両レール２２,２３および盤面飾り部材２４で囲まれた内側が前記遊技領域２１として構成されている。そして、遊技盤２０の遊技領域２１内に、多数の遊技釘５１や回転案内具５２が配設されており、遊技領域２１を流下するパチンコ球が、遊技釘５１や回転案内具５２に接触することで流下方向を不規則に変化したり誘導されるようになっている。また、遊技領域２１の最下部に、該遊技領域２１を流下したパチンコ球を遊技盤２０の後側へ排出するアウト口２５が形成されている。これにより、前枠１３の上球皿１４から中枠１２に配設された打球発射装置２６へ案内されて、該打球発射装置２６から発射されたパチンコ球は、外レール２２と内レール２３との間を通って遊技領域２１の左上部に打ち出され、該遊技領域２１内を流下する際に、該パチンコ球の一部が後述する第１始動入賞装置３０、第２始動入賞装置３４、特別入賞装置４０または普通入賞部材４８,４９の入賞口等に入賞し、これらに入賞しないパチンコ球は、アウト口２５から遊技盤２０の後側へ排出されるようになっている。なお、遊技盤２０は、ベニヤ板からなる不透明な木製合板から形成されたものであってもよい。
【００２３】
前記遊技盤２０には、前後に貫通する複数の装着口が開設されている。これら装着口には、後述する枠状装飾体５５、遊技領域２１を流下するパチンコ球が入賞可能な第１始動入賞装置３０、特別入賞装置４０、第１普通入賞部材４８および第２普通入賞部材４９、ゲート部材４６等が取り付けられている。すなわち、遊技盤２０の略中央において前後に開口する大きな装着口２０ａには、図５に示すように、前後に開口した演出窓口５５ａが形成されたセンター役とも称される環状の枠状装飾体５５が配設されている。この装着口２０ａに枠状装飾体５５を配設することで、遊技領域２１が、該枠状装飾体５５の左側の第１遊技領域２１ａおよび該枠状装飾体５５の右側の第２遊技領域２１ｂに分かれている(図３参照)。枠状装飾体５５が配設された装着口２１ａの下方に開口形成された装着口(図示せず)には、第１始動入賞装置３０が配設される。そして、第１始動入賞装置３０が配設された装着口の右側に開口形成された装着口(図示せず)に、特別入賞装置４０および第２普通入賞部材４９が配設される。また、第１始動入賞装置３０が配設された装着口の左側に開口形成された装着口(図示せず)に、第１普通入賞部材４８が配設される。更に、枠状装飾体５５が配設された装着口２１ａの右方に開口形成された装着口(図示せず)には、ゲート部材４６が配設される。なお、遊技盤２０に開設される装着口の形成数、形成位置および開口形状は、遊技盤２０に対して取り付けられる各種部品の個数、配設位置および外形形状等に応じて決定される。
【００２４】
(第１始動入賞装置３０について)
前記第１始動入賞装置３０は、図３に示すように、上方に開口した第１始動入賞口３１を備えている。すなわち、第１始動入賞装置３０は、遊技領域２１内で常に上方へ開口する常時開放タイプの入賞口であり、該遊技領域２１を流下するパチンコ球が常時一定の確率で入賞可能に構成されている。そして第１始動入賞装置３０は、第１始動入賞口３１に入賞したパチンコ球(入賞球)を検出すると共に検出信号をメイン制御手段としてのメイン制御基板１５０(図６参照)へ送信する第１始動入賞検出センサ３２(図６参照)を備えている。これにより、第１始動入賞検出センサ３２からの検出信号を受信したメイン制御基板１５０は、球払出装置が所定数の賞球を払い出させるように払出制御基板１５５(図６参照)に制御信号を送信すると共に、入賞時情報(各種乱数情報)を取得して、該入賞時情報に基づいて大当り(当り)抽選(当り判定)を行う。
【００２５】
(第２始動入賞装置３４について)
前記第２始動入賞装置３４は、図３、図５および図１６に示すように、前記枠状装飾体５５の右部分に配設された電気機器である。この第２始動入賞装置３４は、左右方向へ揺動するレバー形態の開閉部材３６と、該開閉部材３６を開閉動作させる作動手段としての始動入賞ソレノイド３７(図６、図１６参照)とを備えている。開閉部材３６は、始動入賞ソレノイド３７の作動により、第２始動入賞口３５を閉鎖する閉鎖位置および開放する開放位置に姿勢変位するよう構成されている。すなわち、実施例の第２始動入賞口３５は、開閉部材３６の姿勢が変化することで、第２始動入賞口３５に対するパチンコ球の入賞確率を可変し得るよう構成されている。そして、第２始動入賞装置３４は、第２始動入賞口３５に入ったパチンコ球(入賞球)を検出すると共に検出信号をメイン制御基板１５０へ送信する第２始動入賞検出センサ３８(図６、図１６参照)を備えている。これにより、第２始動入賞検出センサ３８からの検出信号を受信したメイン制御基板１５０は、前述したように、球払出装置が所定数の賞球を払い出させるように球払出制御基板１５５に制御信号を送信すると共に、入賞時情報(各種乱数情報)を取得して、該入賞時情報に基づいて大当り(当り)抽選(大当り判定)を行う。
【００２６】
(特別入賞装置４０について)
前記第２遊技領域２１ｂの下流部に配設された特別入賞装置４０は、図３および図１４に示すように、第２遊技領域２１ｂに横長に開口する特別入賞口４１が前側に設けられた本体と、該特別入賞口４１を開閉自在に閉鎖するフラップ形態の開閉扉４２と、開閉扉４２を開閉する開閉手段としての特別入賞ソレノイド４３(図６参照)とを備えている。開閉扉４２は、特別入賞ソレノイド４３の作動により、特別入賞口４１を閉鎖する閉鎖位置および開放する開放位置に姿勢変位するよう構成されている。そして、特別入賞装置４０は、特別入賞口４１に入ったパチンコ球(入賞球)を検出すると共に検出信号をメイン制御基板１５０へ送信する特別入賞検出センサ４４(図６参照)を備えている。これにより、特別入賞検出センサ４４からの検出信号を受信したメイン制御基板１５０は、球払出装置が所定数の賞球を払い出させるように前記球払出制御基板１５５に制御信号を送信する。ここで、特別入賞装置４０は、第１始動入賞口３１へパチンコ球が入賞して第１始動入賞検出センサ３２から検出信号がメイン制御基板１５０へ送信されたか、第２始動入賞口３５へパチンコ球が入賞して第２始動入賞検出センサ３８から検出信号がメイン制御基板１５０へ送信されたことを契機として、メイン制御基板１５０が行う大当り抽選の結果として所定の大当り遊技(例えば、確変大当り遊技や非確変大当り遊技等の特別遊技)が生起された場合に、該大当りのラウンド演出に基づいて開閉扉４２を動作させて特別入賞口４１を所定の回数で開放するよう制御される。すなわち、メイン制御基板１５０は、所定の判定条件の成立を契機として当り判定を実行する当り判定手段としての機能を備えている。
【００２７】
(ゲート部材４６について)
前記ゲート部材４６は、ゲート部を通過するパチンコ球を検出するゲートセンサ４７(図６参照)が設けられている。このゲートセンサ４７は、前記メイン制御基板１５０に配線接続されており、該ゲートセンサ４７からメイン制御基板１５０への球検出信号の入力(すなわちゲートセンサ４７のパチンコ球の検出)に伴って各種情報が取得され、この取得した情報に基づいて、メイン制御基板１５０のメイン制御ＣＰＵ１５０ａは、普図当り判定を行うよう構成されている。そして、この普図当り判定の結果に応じて前記第２始動入賞装置３４の始動入賞ソレノイド３７が駆動制御され、開閉部材３６が所定時間に亘って開閉動作するようになっている。
【００２８】
(第１および第２普通入賞部材４８,４９について)
前記第１普通入賞部材４８および第２普通入賞部材４９は、図３に示すように、遊技領域２１内で常に上方へ開口する常時開放タイプの普通入賞口４８ａ,４９ａを備え、遊技領域２１を流下するパチンコ球が常時一定の確率で入賞可能に構成されている。第１普通入賞部材４８および第２普通入賞部材４９は、普通入賞口４８ａ,４９ａに入賞したパチンコ球を検出する普通入賞検出手段としての普通入賞検出センサ５０を備えている(図６参照)。この普通入賞検出センサ５０は、前記メイン制御基板１５０に配線接続されており、普通入賞検出センサ５０がパチンコ球を検出すると検出信号をメイン制御基板１５０に出力し、該メイン制御基板１５０の制御下に予め設定された数の賞球が払い出されるようになっている。
【００２９】
前述のように構成された遊技盤２０では、打球発射装置２６から発射されたパチンコ球が外レール２２と内レール２３との間を通って遊技領域２１の左側上部に打ち出された際に、該打球発射装置２６による打球力を弱く調整した所謂左打ちの場合は、主に遊技領域２１の第１遊技領域２１ａをパチンコ球が流下し、該打球発射装置２６による打球力を強く調整した所謂右打ちの場合は、主に遊技領域２１の第２遊技領域２１ｂをパチンコ球が流下するようになっている。そして、遊技領域２１に打ち出されたパチンコ球が第１始動入賞装置３０の第１始動入賞口３１または第２始動入賞装置３４の第２始動入賞口３５に入賞して第１始動入賞検出センサ３２または第２始動入賞検出センサ３８が検出すると、当該パチンコ機１０を総合的に制御するメイン制御基板１５０に対して該始動入賞検出センサ３２,３８から検出信号が送信される。これに基づいてメイン制御基板１５０は、大当り抽選を行うと共に、当該大当り抽選の結果に基づいてサブ制御手段としての演出制御基板１５１に制御信号を出力して、後述するメイン表示装置１０５の表示部１０５ａにおいて図柄変動演出を行わせるようになっている。そして、メイン表示装置１０５での図柄変動演出の結果、表示部１０５ａに所定の図柄組み合わせ(例えば同一飾図の３つ揃い等)で飾図が確定的に停止表示されると、遊技者に有利な遊技状態である大当り遊技が生起される。そして、大当り遊技が生起された場合には、特別入賞装置４０の特別入賞口４１が開放して、多数の賞球を獲得可能な機会が与えられる。
【００３０】
(枠状装飾体５５について)
前記枠状装飾体５５は、図３、図５および図１６に示すように、複数の部材を組み付けると共に電気機器等を設置した環状のユニット体である。枠状装飾体５５の内側に画成された演出窓口５５ａは、設置部材９０に配設されたメイン表示装置１０５の表示部１０５ａや、該設置部材９０の前側に配設される可動演出装置７５,７６や、その他の演出装置および装飾部品等が臨むようになっている。枠状装飾体５５は、前記装着口２０ａの左側縁、上縁および右側縁に沿って延在する上枠部５６と、該装着口２０ａの下縁に沿って延在する下枠部５７とから構成されている。下枠部５７には、ステージ部５８が設けられていると共に、該下枠部５７におけるステージ部５８の後側にカバー部材５９が取り付けられている。更に、下枠部５７には、電気機器である前記第２始動入賞装置３４や発光基板(電気機器)７０が配設されている。このような枠状装飾体５５は、遊技盤２０の装着口２０ａの開口形状に合わせて環状に形成された枠部材６０を備え、前記ステージ部５８をなすステージ部材６１、前記カバー部材５９および第２始動入賞装置３４等が、該枠部材６０に取り付けられる。
【００３１】
(上枠部５６について)
前記上枠部５６は、図５および図１６に示すように、前記枠部材６０により構成されており、前記装着口２０ａの開口縁に沿って延在すると共に遊技盤２０の前面よりも前方へ突出する枠壁５６ａと、該枠壁５６ａの外面から外側へ延在して遊技盤２０の前面に当接するフランジ５６ｂとを備えている。枠壁５６ａは、その前端が遊技盤２０の前面から前方へ突出して前記透視保護板１９の後面近傍に位置しており、第１遊技領域２１ａおよび第２遊技領域２１ｂを流下するパチンコ球が、枠状装飾体５５の内側(演出窓口５５ａ)へ移動することを規制する区画壁である。また、枠壁５６ａは、その後端が遊技盤２０の後面に整合しており、装着口２０ａの内周面を被覆するようになっている。前記フランジ５６ｂは、装着口２０ａの開口縁より一回り大きい外縁形状に形成されており、枠状装飾体５５を遊技盤２０の前側から装着口２０ａへ装着した際に、該遊技盤２０の前面に当接する。フランジ５６ｂには、前後に貫通した複数のネジ孔が形成されており、該ネジ孔を介してネジを遊技盤２０に締結することで、枠状装飾体５５が該遊技盤２０に固定される。そして、枠壁５６ａの左上部に形成されたフランジ５６ｂおよび右上部に形成されたフランジ５６ｂには、図３に示すように、パチンコ球の直径より大きい間隔(パチンコ球の直径以上でかつ直径の２倍以下)で枠壁５６ａから離間すると共に該枠壁５６ａに沿って延在する壁部５６ｃが形成されており、該枠壁５６ａと壁部５６ｃとの間に球通路５６ｄが形成されている。
【００３２】
(ステージ部５８について)
前記ステージ部５８は、図１６に示すように、前記枠部材６０に取り付けられるステージ部材６１により形成され、前記下枠部５７において左右に延在している。このステージ部材６１は、上下方向に湾曲すると共に左右方向へ細長い板状部材であり、その上面が、パチンコ球が転動する転動面６１ａを構成している。ステージ部材６１は、全体として下方へ凸となる湾曲形状をなして左端および右端が最も高く、かつ左右中央部が上方へ突出している。そして、中央の突出部の左側部分および右側部分は、転動面６１ａが前方へ下方傾斜しており、転動面６１ａを左右に転動したパチンコ球が、前方へ移動して遊技領域２１へ落下可能となっている。また、前記下枠部５７の左部には、遊技領域２１に開口すると共に前記ステージ部５８の左部に連通する球取込み部６２が設けられており、遊技領域２１から該球取込み部６２へ入ったパチンコ球が、ステージ部５８へ案内されるようになっている。なお、球取込み部６２は、前記カバー部材５９に形成されている。
【００３３】
前記ステージ部材６１は、透明または半透明の合成樹脂部材から形成されており、透光性を有している。そして、図１４および図１６に示すように、ステージ部材６１における転動面６１ａの裏面(下面)は、複数の凸状部が形成された光拡散面６１ｂが形成されている。これにより、後述する発光基板７０のＬＥＤチップ７０ａが発光して、下方からステージ部材６１に対して光が照射された際には、転動面６１ａの全体が均一的に明輝されるようになっている。なお、ステージ部材６１は、前縁および後縁に、下方へ延出すると共に左右へ延在するリブ６１ｃが形成されている(図１４参照)。また、ステージ部材６１には、発光基板７０を取り付ける基板保持部６１ｄが設けられている(図１６参照)。
【００３４】
(カバー部材５９について)
前記カバー部材５９は、図５、図１４および図１６に示すように、前記枠部材６０に取り付けた状態において、該枠部材６０に取り付けた前記ステージ部材６１を、後方、上方および下方の３方向から囲む形状に形成されている。すなわち、カバー部材５９は、ステージ部５８の後側に位置した縦壁部６３と、該縦壁部６３の上縁から前方へ延出した上壁部６４と、該縦壁部６３の下縁から前方へ延出した下壁部６５とを備えている。縦壁部６３は、ステージ部材６１の後縁に当接した状態に配設され、転動面６１ａを移動するパチンコ球が、該ステージ部材６１の後方へ落下するのを防止するようになっている。また、上壁部６４は、ステージ部材６１の転動面６１ａから上方へ離間した位置で、該ステージ部材６１より前方まで延出しており、転動面６１ａ上を転動する際に跳ね上がったパチンコ球を上方から当て受け可能となっている。また、下壁部６５は、ステージ部材６１から下方へ離間した位置で前方へ延出しており、該ステージ部材６１の転動面６１ａの裏面(下面)との間に、第１２電気配線(電気配線)１４１を挿通可能な隙間が画成されている(図１４参照)。ここで、カバー部材５９は、透明な合成樹脂材から形成されており、縦壁部６３の後方を透視可能となっている。
【００３５】
前記下枠部５７には、図３または図１６に示すように、前記ステージ部５８の左右中央部の後側部分から、前壁に形成された球出口６６ｃに連通する球送出路６６が形成されており、該ステージ部５８の中央部から球送出路６６へ落下したパチンコ球を、第１始動入賞装置３０の上方へ案内し得るよう構成されている。この球送出路６６は、カバー部材５９の縦壁部６３に上下に延在するように形成された縦送出部６６ａと、前記枠部材６０に前後に延在するように形成されて前記縦送出部６６ａの下部に連通する横送出部６６ｂで形成される。これにより、ステージ部５８へ案内されたパチンコ球の一部は、球送出路６６を介して遊技領域２１における第１始動入賞装置３０の上方へ案内される。
【００３６】
(発光基板７０について)
前記下枠部５７には、図１６に示すように、発光基板７０が配設されており、演出制御基板１５１(図６参照)により発光制御されるようになっている。この発光基板７０は、前記ステージ部材６１に設けられた基板保持部６１ｄに、複数のＬＥＤチップ７０ａが実装された面を上方とした水平姿勢で配設されている。従って、発光基板７０のＬＥＤチップ７０ａが発光した際には、転動面６１ａを下方から照射して、該転動面６１ａを明輝させる。ここで、前記発光基板７０に接続された第１２電気配線１４１(図６、図１４参照)は、ステージ部材６１とカバー部材５９の下壁部６５との間を右方へ延出され、下枠部５７の右部に形成された隙間を介してカバー部材５９の外側へ引き出されるようになっている。
【００３７】
(入賞装置設置部６７について)
前記下枠部５７には、図５および図１６に示すように、前記第２始動入賞装置３４を設置する入賞装置設置部６７が設けられている。すなわち、下枠部５７の右部に入賞装置設置部６７が設けられており、第２始動入賞装置３４を取り付けたベース部材６８が、該入賞装置設置部６７にネジにより固定されるようになっている。なお、始動入賞ソレノイド３７は入賞装置設置部６７に対して後側から取り付けられ、開閉部材３６は、該入賞装置設置部６７に対して前側から取り付けられる。
【００３８】
また、下枠部５７の前側には、図３および図１６に示すように、複数(実施例では３つ)の装飾部材７１,７２,７３が配設されている。各装飾部材７１,７２,７３は、左右に並んで配設されている。ここで、中央に配設された装飾部材７１は、ステージ部材６１の左右長に匹敵する左右長の板状部材であり、前面に所要の意匠が施されていると共に非透光性に形成されており、前記発光基板７０を視認不能に構成されている。また、正面左側に配設された装飾部材７２は、所要の意匠形状に形成されていると共に非透光性に形成されており、カバー部材５９に形成された前記球取込み部６２の前側に位置して、該球取込み部６２を視認不能に構成されている。更に、正面右側に配設された装飾部材７３は、所要の意匠形状に形成されていると共に非透光性に構成されており、前記入賞装置設置部６７の前側に位置して、第２始動入賞装置３４を視認不能に構成されている。
【００３９】
更に、前記カバー部材５９の後側には、図５および図１４〜図１７に示すように、配線案内部１２２が設けられている。この配線案内部１２２は、前記発光基板７０に接続された第１２電気配線１４１および前記第２始動入賞装置３４に接続された第１０および第１１電気配線(電気配線)１３９,１４０を、内部に収容すると共に後方へ案内するものである。なお、配線案内部１２２の詳細については後述する。
【００４０】
(設置部材９０について)
前記設置部材９０は、図４および図５に示す如く、前記遊技盤２０の外郭形状より僅かに小さい形状に形成された略矩形状の設置壁部９１と、該設置壁部９１の外周縁部から前方に突出する外周壁部９２とを備えて、設置壁部９１から前方に開口した箱状に形成されている。外周壁部９２の前端には、該外周壁部９２から外方へ延出する取付板部９３が形成されている。そして、取付板部９３を遊技盤２０の後面に当接させた状態で、該取付板部９３を遊技盤２０にネジ止めすることで、設置部材９０が該遊技盤２０の後面に固定される。また、設置部材９０における設置壁部９１の前側には、遊技盤２０の後面との間に空間が画成され、前記可動演出装置７６,７６、サブ表示装置１０６,１０７,１０８、装飾部材１１９等が配設される(図３参照)。
【００４１】
(設置壁部９１について)
前記設置壁部９１は、図４および図５に示すように、その後面に対してメイン表示装置１０５が着脱自在に取り付けられると共に、枠状装飾体５５の演出窓口５５ａと前後に整列する位置に、略矩形状の表示開口(開口)９４が前後に開口するよう開設されている。表示開口９４には、設置壁部９１の後面に取り付けたメイン表示装置１０５の表示部１０５ａが後方から臨むようになり、表示開口９４および演出窓口５５ａを介して該メイン表示装置１０５の表示部１０５ａが遊技盤２０の前側に臨むようになっている。設置壁部９１は、中央に開口する表示開口９４の左方に位置する左板部９１ａ、表示開口９４の右方に位置する右板部９１ｂ、表示開口９４の上方に位置する上板部９１ｃおよび下方に位置する下板部９１ｄから構成されている。上板部９１ｃの前側は、上サブ表示装置１０６の設置部とされており、左板部９１ａの前側は、左サブ表示装置１０７の設置部とされていると共に、右板部９１ｂの前側は、右サブ表示装置１０８の設置部とされている。なお、上サブ表示装置１０６、左サブ表示装置１０７および右サブ表示装置１０８は、夫々の上板部９１ｃ、左板部９１ａおよび右板部９１ｂの前側に位置する初期位置(図３参照)と、表示開口９４の前側となる移動位置(図示せず)の間を円弧状に移動可能に構成されている。そして、各サブ表示装置１０６,１０７,１０８は、夫々の移動位置において、その全体が演出窓口５５ａの領域内へ移動する。
【００４２】
(基板設置部９５,９６,９７,９８について)
そして、前記設置部材９０は、図４および図１０に示すように、設置壁部９１における下板部９１ｄの後側に、後述する複数(実施例では４つ)の基板設置部９５,９６,９７,９８が設けられている。なお、以下の説明において、左側(図１０では右側)に位置する基板設置部を第１基板設置部９５と指称し、中央に位置する基板設置部を第２基板設置部９６と指称し、右側(図１０では左側)下方に位置する基板設置部を第３基板設置部９７と指称すると共に、右側上方に位置する基板設置部を第４基板設置部９８と指称する。第１基板設置部９５には、配線接続部としての第１中継基板１００が設置され、第２基板設置部９６には、配線接続部としての第２中継基板１０１が設置される。第３基板設置部９７には第３中継基板１０２が設置され、第４基板設置部９８には第４中継基板１０３が設置される。また、下板部９１ｄの後側には、該下板部９１ｄから後方へ離間して板状の基板取付部材(図示せず)が取り付けられるようになっており、該基板取付部材には、前記メイン制御基板１５０が収容された基板ケースが取り付けられる。従って、基板設置部９５,９６,９７,９８に設置された第１〜第４中継基板１００〜１０３は、基板取付部材により後方からカバーされるようになっている。
【００４３】
(第１中継基板１００について)
前記第１中継基板１００は、図６および図１０に示すように、前記演出制御基板１５１と、前記可動演出装置７５,７６および発光基板７０等とを電気的に接続するプリント基板である。すなわち、第１中継基板１００には、演出制御基板１５１からの第７電気配線１３６の端部に連結された配線コネクタが接続される基板コネクタ１００ａが配設されている。また、第１中継基板１００には、可動演出装置７５,７６からの電気配線の端部に連結された配線コネクタが接続される基板コネクタ１００ｂや、枠状装飾体５５に配設された発光基板７０からの第１２電気配線１４１に端部に接続された配線コネクタや、その他の電気部品からの電気配線の配線コネクタが接続される基板コネクタ１００ｂが設けられている。このような第１中継基板１００は、前記第１基板設置部９５に対し、係止片やネジにより固定される。
【００４４】
(第２中継基板１０１について)
前記第２中継基板１０１は、図６および図１０に示すように、メイン制御基板１５０と、該メイン制御基板１５０に対して信号の入出力が行われるセンサおよび該メイン制御基板１５０により制御される電気部品とを、電気的に接続するプリント基板である。すなわち、第２中継基板１０１には、メイン制御基板１５０からの第４電気配線１３３(図６参照)の端部に連結された配線コネクタが接続される基板コネクタ１０１ａが配設されている。また、第２中継基板１０１には、前記第１始動入賞装置３０に配設された第１始動入賞検出センサ３２からの電気配線が接続される基板コネクタ１０１ｂ、第２始動入賞装置３４に配設された始動入賞ソレノイド３７からの電気配線(第１０電気配線１３９)および第２始動入賞検出センサ３８からの電気配線(第１１電気配線１４０)が接続される基板コネクタ１０１ｂが設けられている。更に、第２中継基板１０１には、前記特別入賞装置４０に配設された特別入賞検出センサ４４からの電気配線が接続される基板コネクタ１０１ｂ、前記ゲートセンサ４７からの電気配線が接続される基板コネクタ１０１ｂ、前記第１普通入賞部材４８および第２普通入賞部材４９に配設された普通入賞検出センサ５０からの電気配線が接続される基板コネクタ１０１ｂが設けられている。更にまた、第２中継基板１０１には、前枠１３、遊技盤２０および設置部材９０等に配設された磁気センサ等の各種センサ(図示せず)からの電気配線の端部に連結された配線コネクタが接続される基板コネクタ１０１ｂ等が配設されている。
【００４５】
(第３中継基板１０２について)
前記第３中継基板１０２は、図６に示すように、中枠１２に設置された払出制御基板１５５と前記メイン制御基板１５０とを電気的に接続するプリント基板である。この第３中継基板１０２は、遊技盤２０を中枠１２の遊技盤保持部１２ａに取り付けることで、該中枠１２の遊技盤保持部１２ａに臨む位置に配設された前記第１、第２中枠ドッキングコネクタ８１,８２に電気的に接続されるドッキングコネクタを備えている。実施例の第３中継基板１０２は、図１１に示すように、払出制御基板１５５の電源出力部に電気的に接続された前記第１中枠ドッキングコネクタ８１に分離可能に接続される第１ドッキングコネクタ１０２ａと、払出制御基板１５５の信号出力部に電気的に接続された前記第２中枠ドッキングコネクタ８２に接続される第２ドッキングコネクタ１０２ｂとを備えている。また、第３中継基板１０２は、プリント回路により第１ドッキングコネクタ１０２ａと電気的に接続されている基板コネクタ１０２ｃと、プリント回路により第２ドッキングコネクタ１０２ｂと電気的に接続されている基板コネクタ１０２ｄとを備えている。基板コネクタ１０２ｃは、メイン制御基板１５０の信号入力部に接続される第３電気配線１３２(図６、図１１参照)が接続され、基板コネクタ１０２ｄは、メイン制御基板１５０の電源入力部に接続される第２電気配線１３１(図６、図１１参照)が接続される。
【００４６】
(第４中継基板１０３について)
第４中継基板１０３は、図６に示すように、前記前枠１３に配設された各種電気機器(ランプ装置１７、スピーカ１８)からの電気配線が接続される前枠中継基板１５７と前記演出制御基板１５１とを電気的に接続するプリント基板である。この第４中継基板１０３は、遊技盤２０を中枠１２の遊技盤保持部１２ａに取り付けることで、該中枠１２の遊技盤保持部１２ａに臨む位置に配設された前記第３中枠ドッキングコネクタ８３に分離可能に接続されるドッキングコネクタを備えている。実施例の第４中継基板１０３は、図８、図９および図１１に示すように、前枠１３に配設された前枠中継基板１５７に電気的に接続された前記第３中枠ドッキングコネクタ８３に分離可能に接続されるドッキングコネクタ(接続手段)１０３ａと、プリント回路により該ドッキングコネクタ１０３ａに電気的に接続されて、演出制御基板１５１からの第８電気配線１３７(図６、図１１参照)が接続される基板コネクタ１０３ｂとを備えている。
【００４７】
(メイン制御基板１５０について)
実施例のパチンコ機１０の遊技を総合的に制御するメイン制御基板１５０は、図６に示すように、制御動作を所定の手順で実行することができるメイン制御ＣＰＵ１５０ａ、メイン制御ＣＰＵ１５０ａの制御プログラムを格納するメイン制御ＲＯＭ１５０ｂ、および必要なデータの書き込みおよび読み出しができるメイン制御ＲＡＭ１５０ｃを備えている。メイン制御基板１５０は、大当り判定用乱数、大当り図柄用乱数、変動パターン振分用乱数、普図当り判定用乱数等の各種乱数の値を所定の周期毎に更新し、更新後の値をメイン制御ＲＡＭ１５０ｃの設定領域に記憶(設定)することで更新前の値を書き換えており、乱数更新処理(乱数生成処理)を実行するようになっている。例えば、メイン制御基板１５０では、第１始動入賞装置３０の前記第１始動入賞検出センサ３２または第２始動入賞装置３４の前記第２始動入賞検出センサ３８から検出信号が入力されると、メイン制御ＣＰＵ１５０ａがメイン制御ＲＯＭ１５０ｂから大当り判定用乱数を取得し、この大当り判定用乱数とメイン制御ＲＯＭに記憶されている大当り判定値とを比較し、大当りとするか否かの大当り判定(大当り抽選)を行う。またメイン制御基板１５０では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動演出の変動時間および演出内容を特定するものである。そして、パチンコ機１０では、メイン制御基板１５０の大当り判定の結果に応じて出力された演出制御基板１５１の制御信号に基づいて、表示制御基板１５２の表示制御ＣＰＵ１５２ａがメイン表示装置１０５に所定の演出表示を行わせると共に、メイン制御基板１５０の制御により出力された球払出しに係る制御信号に基づいて、図示しない球払出装置によって所定数の賞球が上球皿１４へ払い出される。
【００４８】
(演出制御基板１５１について)
前記演出制御基板１５１は、図６に示すように、演出制御ＣＰＵ１５１ａを備えると共に、該演出制御ＣＰＵ１５１ａには、演出制御ＲＯＭ１５１ｂおよび演出制御ＲＡＭ１５１ｃが接続されている。また、演出制御ＣＰＵ１５１ａは、実行可否判定用乱数や動作演出パターン抽選用乱数等の各種乱数の値を所定の周期毎に更新し、更新後の値を演出制御ＲＡＭ１５１ｃの設定領域に記憶(設定)して更新前の値を書き換えている。更に、演出制御ＲＯＭ１５１ｂには、メイン表示装置１０５の表示部１０５ａおよび前記サブ表示装置１０６,１０７,１０８における演出内容を制御する表示制御基板１５２に制御信号を送信するプログラムや、前枠１３等に配設されたランプ装置１７を制御するランプ制御基板１５３(図６参照)を制御するプログラムや、前枠１３に配設されたスピーカ１８を制御する音制御基板１５４を制御するプログラムが記憶されている。更に、演出制御ＲＯＭ１５１ｂには、可動演出装置７５,７６およびその他の演出装置等を作動制御するプログラム等も記憶されている。
【００４９】
(表示制御基板１５２について)
前記表示制御基板１５２は、図６に示すように、表示制御ＣＰＵ１５２ａを備えると共に、該表示制御ＣＰＵ１５２ａには、表示制御ＲＯＭ１５２ｂおよび表示制御ＲＡＭ１５２ｃが接続されている。表示制御基板１５２は、演出制御基板１５１から出力された制御信号(制御コマンド)に基づいて、メイン表示装置１０５に表示される飾図および背景画像等の図柄変動演出の表示内容を制御すると共に、各サブ表示装置１０６,１０７,１０８に表示される画像や映像等の表示内容を制御するよう構成される。
【００５０】
ランプ制御基板１５３は、演出制御基板１５１から出力された制御信号(制御コマンド)に基づいて、パチンコ機１０が備える前記ランプ装置１７の点灯・消灯のタイミングや、発光強度等を制御するものである。また、音制御基板１５４は、演出制御基板１５１から出力された制御信号(制御コマンド)に基づき、パチンコ機１０が備える前記スピーカ１８からの音楽や音声等の出力タイミングや大きさ等を制御するものである。
【００５１】
(メイン表示装置１０５について)
前記メイン表示装置１０５は、図３〜図５に示すように、各種飾図(図柄)を表示可能な表示部１０５ａをなす液晶パネルを収容ケースに収容したユニット部材である。メイン表示装置１０５は、設置部材９０の設置壁部９１の後側に設けられた表示装置設置部９９に取り付けることで、表示部１０５ａが、前記表示開口９４に後方から整合して前方から視認可能となる。そして、メイン表示装置１０５の収容ケースの後面には、当該パチンコ機１０の遊技演出を制御する前記演出制御基板１５１が収容された演出制御基板ケース１５８と、前記表示制御基板１５２が収容された表示制御基板ケース１５９とが取り付けられている。メイン表示装置１０５の表示部１０５ａは、飾図を変動表示可能な図柄列が複数列(例えば３列)表示可能となっており、第１始動入賞装置３０または第２始動入賞装置３４へのパチンコ球の入賞を契機として、表示制御基板１５２の制御に基づいて各図柄列の飾図が変動開始されると共に背景画像等が表示され、選択された図柄変動演出(リーチ演出やはずれ演出等)を行った後に、予め決定された最終停止飾図を、入賞ライン上に停止表示するようになっている。なお実施例では、メイン表示装置１０５として、表示部１０５ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００５２】
(パチンコ機１０の電気系統について)
実施例のパチンコ機１０は、図６に示すように、外部の主電源(交流２４Ｖ)に接続される電源基板１５６を備え、該電源基板１５６と前記払出制御基板１５５とが第１電気配線１３０により電気的に接続されている。電源基板１５６では、交流２４Ｖの電気が供給されることで、２４Ｖの交流電流および５Ｖ、１２Ｖ、３０Ｖ等の直流電流を生成して、第１電気配線１３０を介して払出制御基板１５５へ供給する。
【００５３】
前記払出制御基板１５５は、外部端子板(図示せず)を介してホールコンピュータに電気的に接続されており、該ホールコンピュータとの間で各種データの入出力が行われる。また、払出制御基板１５５は、前記第３中継基板１０２、第２電気配線１３１および第３電気配線１３２を介して前記メイン制御基板１５０に電気的に接続されている。すなわち、払出制御基板１５５からメイン制御基板１５０に対して、第２電気配線１３１を介して各種電圧の直流電源が供給されると共に、第３電気配線１３２を介して各種信号が送受信される。また、払出制御基板１５５は、メイン制御基板１５０からの制御信号(制御コマンド)に基づいて、払出制御装置を作動制御する。更に、払出制御基板１５５は、打球発射装置を作動制御する発射制御基板や球貸し装置を制御する球貸し制御基板(図示せず)とも電気的に接続されている。
【００５４】
前記メイン制御基板１５０は、図６に示すように、前記第２中継基板１０１に対して第４電気配線１３３を介して電気的に接続されている。この第２中継基板１０１には、前記第１始動入賞装置３０に配設された第１始動入賞検出センサ３２からの電気配線と、第２始動入賞装置３４に配設された第２始動入賞検出センサ３８からの電気配線(第１１電気配線１４０)および始動入賞ソレノイド３７からの電気配線(第１０電気配線１３９)とが、電気的に接続されている。また、第２中継基板１０１には、前記特別入賞検出センサ４４、普通入賞検出センサ５０、ゲートセンサ４７および各種検出センサ(振動センサ、磁気センサ等)等が電気配線を介して電気的に接続されている。従って、前記各種センサからの検出信号が、前記第２中継基板１０１および第４電気配線１３３を介してメイン制御基板１５０に入力される。
【００５５】
前記演出制御基板１５１は、図６に示すように、第５電気配線１３４を介して前記メイン制御基板１５０と電気的に接続されており、該メイン制御基板１５０から所定電圧の直流電流が供給されると共に、該メイン制御基板１５０から各種制御信号が入力される。この演出制御基板１５１は、前記メイン表示装置１０５および各サブ表示装置１０６,１０７,１０８を制御する表示制御基板１５２に対して、第６電気配線１３５を介して電気的に接続されており、該演出制御基板１５１から表示制御基板１５２に対して所定電圧の直流電流が供給されると共に、各種制御信号が送信されるようになっている。また、演出制御基板１５１は、前記第１中継基板１００に対して、第７電気配線１３６を介して電気的に接続されている。この第１中継基板１００には、前記設置部材９０に配設されている可動演出装置７５,７６、発光基板(図示せず)およびその他の電気機器と、前記遊技盤２０に配設されている電気機器、すなわち前記枠状装飾体５５に配設されている前記発光基板７０等が、電気配線により電気的に接続されている。従って、設置部材９０に配設されている電気機器および遊技盤２０に配設されている電気機器(第１、第２始動入賞装置３０,３４および特別入賞装置４０は除く)は、演出制御基板１５１からの制御信号により作動制御される。
【００５６】
また、前記演出制御基板１５１は、図６に示すように、前記第４中継基板１０３に対して、第８電気配線１３７を介して電気的に接続されている。従って、演出制御基板１５１は、中枠１２に配設されて第４中継基板１０３のドッキングコネクタ１０３ａに接続される前記第３中枠ドッキングコネクタ８３と、前枠１３に配設されて該第３中枠ドッキングコネクタ８３に対して第９電気配線１３８により接続される前枠中継基板１５７(図６参照)とを介して、該前枠１３に配設されたランプ装置１７やスピーカ１８等と電気的に接続されている。ここで、中枠１２に配設された第３中枠ドッキングコネクタ８３と前枠中継基板１５７とは、前枠１３に配設された前枠端子板１６１を介して電気的に接続されている(図６参照)。
【００５７】
前記演出制御基板１５１には、メイン制御基板１５０からの各種信号が入力される信号入力ラインに接続された信号ライン保護用ダイオード１６０が配設されている(図６参照)。この信号ライン保護用ダイオード１６０は、メイン制御基板１５０からの電気供給を行う前記第５電気配線１３４が接続される電気供給ラインに、定常電圧よりも高い電圧の電流が流れた場合に、信号ラインを保護するためのものである。
【００５８】
ここで、実施例のパチンコ機１０では、前記中枠１２に設置された遊技盤２０(具体的には設置部材９０)に配設されて、主電源に接続する電源基板１３０から払出制御基板１５５、第３中継基板１０２およびメイン制御基板１５０を介して電気が供給される演出制御基板１５１が、本体部材(中枠１２)に設けられ、主電源に接続する第１基板として機能する。これに対し、本体部材である中枠１２に対して開閉可能に支持される開閉部材としての前枠１３に配設される前枠中継基板１５７は、第１基板である演出制御基板１５１に対して第３中枠ドッキングコネクタ８３によって電気的に接続または解除される第２基板として機能する。
【００５９】
(遊技盤２０の着脱)
実施例のパチンコ機１０は、前記中枠１２の遊技盤保持部１２ａに対し、前記遊技盤２０が着脱可能に取り付けられている。そして、パチンコ機１０は、中枠１２に配設された前記第１〜第３中枠ドッキングコネクタ８１〜８３や、遊技盤２０の後側に取り付けられた設置部材９０に配設された各ドッキングコネクタ１０２ａ,１０２ｂ,１０３ａとが規格化されており、同一規格で遊技内容が異なる別の遊技盤２０に交換が可能となっている。ここで、遊技盤２０を中枠１２から取り外すことで、該遊技盤２０側(設置部材９０)に配設されている前記第３中継基板１０２の第１、第２ドッキングコネクタ１０２ａ,１０２ｂと、中枠１２側の前記第１、第２中枠ドッキングコネクタ８１,８２との電気的な接続が解除される。また、遊技盤２０側に配設されている前記第４中継基板１０３のドッキングコネクタ１０３ａと、中枠１２側の前記第３中枠ドッキングコネクタ８３との電気的な接続も解除される。一方、遊技盤２０を中枠１２の遊技盤保持部１２ａに取り付ける際には、該遊技盤２０側に配設されている第３中継基板１０２の第１、第２ドッキングコネクタ１０２ａ,１０２ｂと、中枠１２側の第１、第２中枠ドッキングコネクタ８１,８２とが電気的に接続される。また、遊技盤２０側に配設されている第４中継基板１０３のドッキングコネクタ１０３ａと、中枠１２側の第３中枠ドッキングコネクタ８３とが電気的に接続される。
【００６０】
そして、前記中枠１２に対する遊技盤２０の着脱に際して、前記第３中継基板１０２のドッキングコネクタ１０２ａ,１０２ｂと中枠１２側の第１、第２中枠ドッキングコネクタ８１,８２とが電気的に接続または接続解除されると、払出制御基板１５５からメイン制御基板１５０への電気供給ラインおよび信号ラインが電気的に接続または接続解除されることになる。また、前記第４中継基板１０３のドッキングコネクタ１０３ａと中枠１２側の第３中枠ドッキングコネクタ８３とが電気的に接続または接続解除されると、前記演出制御基板１５１と前記前枠中継基板１５７とが電気的に接続または接続解除されることになる。
【００６１】
(遊技盤２０の着脱に伴う活線挿脱について)
ここで、実施例のパチンコ機１０は、外部の主電源から前記電源基板１５６に電源が供給されて、前記メイン制御基板１５０および演出制御基板１５１等の各基板に電気が供給されている状態(電源ＯＮ状態)において、前記中枠１２に対する遊技盤２０の着脱が可能となっている。このため、電源ＯＮ状態において、中枠１２に対する遊技盤２０の着脱作業が行われることがあり得る(「活線挿脱」とも云う。この「活線挿脱」は、電源ＯＮ状態で基板と配線との接続および接続解除が行われる「活線挿脱」と同意である。)。このような電源ＯＮ状態において、中枠１２に対して遊技盤２０を取り付けた場合には、払出制御基板１５５とメイン制御基板１５０との接続と同時に突然通電され、演出制御基板１５１と前記前枠中継基板１５７との接続と同時に突然通電される。また、電源ＯＮ状態において、中枠１２から遊技盤２０を取り外した場合には、払出制御基板１５５とメイン制御基板１５０との接続解除と同時に通電が突然遮断され、演出制御基板１５１と前記前枠中継基板１５７との接続解除と同時に通電が突然遮断されてしまう。このように、前記中枠１２に対する遊技盤２０の着脱に際して前記活線挿脱が発生した場合には、演出制御基板１５１から前枠中継基板１５７への電気供給ライン１６２(図９参照)に、定常状態よりも高い電圧(サージ電圧)が瞬発的にかかると共に、高電圧の電流(サージ電流)が瞬間的に流れることがある。このように、演出制御基板１５１から前枠中継基板１５７への電気供給ライン１６２にサージ電圧がかかった場合には、演出制御基板１５１に配設されたＩＣまたはその他の基板部品(前記信号ライン保護用ダイオード１６０を含む)や、前枠中継基板１５７に配設された基板部品が、破損したり焼損するおそれがある。
【００６２】
前述したように、前記活線挿脱(活線挿抜)が行われると、各種の部品の破損等の不具合を生ずるため、活線挿脱が行われるような前記中枠１２に対する遊技盤２０の着脱作業に際しては、作業前に主電源を遮断(主電源のＯＮ・ＯＦＦを切り替える電源スイッチのＯＦＦ操作を)することが望ましい。そこで、実施例のパチンコ機１０では、主電源の供給状態(電源スイッチのＯＮ状態)を報知する報知手段１７０を設けている。実施例では、遊技盤２０の着脱作業に際しては、図２に示す如く、前記中枠１２に対して前枠１３を開放することが必要であることから、該前枠１３を開放した際に、作業者が視認可能な部位に報知手段１７０が設けられている。具体的に、報知手段１７０として、主電源の供給状態で点灯するＬＥＤからなる報知ＬＥＤ(発光手段)１７０が、前記中枠１２における前枠開放時に露出する前記下枠部の前面に設けられている。この報知ＬＥＤ１７０は、前記演出制御基板１５１に電気的に接続されて、該演出制御基板１５１から電気の供給を受けて主電源の供給状態では常に点灯するよう構成される(図６参照)。すなわち、遊技盤２０の着脱作業に際して作業者が前枠１３を開放すれば、露出する報知ＬＥＤ１７０の点灯状態によって作業者に主電源の供給状態であることを報知でき、主電源を遮断すること、すなわち電源スイッチをＯＦＦ操作することを作業者に促すことができる。
【００６３】
ここで、前記遊技盤２０の着脱作業に際しては、前記中枠１２に対して前枠１３を開放した状態で、前記中枠１２に設けられている前記固定具２９,２９を操作して遊技盤２０の固定状態を解除する作業が必要となる。すなわち、遊技盤２０の着脱作業に際して作業者は、必ず固定具２９を操作するために該固定具２９を視認することから、前記報知ＬＥＤ１７０を、該固定具２９の近傍に設けている。従って、前枠１３を開放して固定具２９を操作するために該固定具２９を視認する作業者は、必然的に報知ＬＥＤ１７０も視認するととなり、遊技盤２０の着脱作業に際して報知ＬＥＤ１７０の点灯状態を作業者が見落とすことがない。
【００６４】
また、前記中枠１２には、前記報知ＬＥＤ１７０による報知に関連する事項を視認可能に表示する表示部材１７１が設けられている。実施例では、報知ＬＥＤ１７０に近接する位置に、報知に関連する事項を文字で表示した貼着シール１７１が、表示部材として中枠１２の下枠部に貼着されている。具体的に、貼着シール１７１には、例えば、「主電源の供給中は報知ＬＥＤが点灯します！」、「報知ＬＥＤの点灯中は遊技盤の着脱は行わないで下さい！」、「遊技盤を着脱する場合は、報知ＬＥＤの消灯を確認して下さい！」等の事項が表示される。なお、報知ＬＥＤ１７０に貼着シール(表示部材)１７１が近接する位置とは、報知ＬＥＤ１７０を視認した作業者が同時に貼着シール１７１を視認することができる範囲で、報知ＬＥＤ１７０と貼着シール１７１とが位置する状態である。すなわち、前枠１３を開放して報知ＬＥＤ１７０を視認した作業者は、必然的に貼着シール１７１も視認することとなり、報知ＬＥＤ１７０の点灯によりどのような事項が報知されているのかを作業者に認識させることができ、遊技盤２０の着脱時には主電源を遮断することをより強く促すことができる。
【００６５】
(定電圧ダイオード１４５について)
次に、前記活線挿脱(活線挿抜)が行われてしまった場合に、各種の部品の破損等の不具合が生ずるのを防止するためにパチンコ機１０に採用されている安全対策について説明する。実施例のパチンコ機１０では、前記演出制御基板(第１基板)１５１から前記前枠中継基板(第２基板)１５７への電気供給ライン１６２とアースライン１６３(図９参照)との間に、定電圧ダイオード１４５が介装されている。この定電圧ダイオード１４５は、逆方向(電流が流れない方向)に電圧をかけて使用する所謂ツェナーダイオードであって、定常電圧より高い電圧の電流が印加された場合に、電流だけを増加させて電圧を所定の電圧に抑えて定電圧とする特性を有している。すなわち、定電圧ダイオード１４５は、電圧に対する耐性が強く、所定の降伏電圧(ツェナー電圧)が設定されており、この降伏電圧を上回る逆バイアスの電圧がかかった場合に、アバランシェ降伏現象(自由電子が電界で加速されて衝突電離を引き起こすことが繰り返し発生すると大電流が流れる現象)により、電圧を降伏電圧に安定化するようになっている。例えば、降伏電圧が５．０Ｖに設定された定電圧ダイオード１４５では、５．０Ｖ以上の逆バイアス電圧が印加された場合に、電圧を５．０Ｖに維持して電流を流すようになる。なお、定電圧ダイオード１４５の降伏電圧は、活線挿脱により演出制御基板１５１から前枠中継基板１５７への電気供給ライン１６２に瞬発するサージ電圧よりも充分低い値が選定される。
【００６６】
実施例では、前記演出制御基板１５１から前枠中継基板１５７への５．０Ｖの前記電気供給ライン１６２とアースライン１６３との間に、降伏電圧が５．０Ｖに設定された定電圧ダイオード１４５が介装されている。ここで、定電圧ダイオード１４５は、カソード側が電気供給ライン１６２に接続されると共にアノード側がアースライン１６３に接続されている。従って、中枠１２に対する遊技盤２０の着脱時に活線挿脱が発生した場合には、前記定電圧ダイオード１４５を介装したことにより、当該電気供給ライン１６２では５．０Ｖよりも電圧が上昇しない。これにより、演出制御基板１５１に配設されたＩＣや前記信号ライン保護用ダイオード１６０等の基板部品や、前枠中継基板１５７に実装された基板部品の破損または焼損を防止可能となっている。すなわち、前記報知ＬＥＤ１７０や貼着シール１７１によって主電源の遮断を促しても、不慣れな作業者等が主電源を遮断することなく遊技盤２０の着脱作業を行ってしまった場合であっても、基板部品の破損または焼損を防止することができるよう構成されている。なお、実施例では、定電圧ダイオード１４５として、NPX Semiconductors N.V.社製のPTVS5V0P1UPが採用されている。但し、定電圧ダイオード１４５はこれに限らず、同等の性能を有するものであれば、様々な定電圧ダイオードを採用可能である。
【００６７】
(定電圧ダイオードの配設位置について)
実施例では、図８および図９に示すように、前記演出制御基板(第１基板)１５１と前枠中継基板(第２基板)１５７とを電気的に接続する前記第４中継基板(中継基板)１０３に、定電圧ダイオード１４５を配設してある。すなわち、第４中継基板１０３において、演出制御基板１５１からの前記電気供給ライン１６２をなす電気供給配線１６４と、前記アースライン１６３をなすアース配線１６５との間に、該定電圧ダイオード１４５を介装してある。電源供給配線１６４は、電気供給ライン１６２に接続される前記基板コネクタ１０３ｂの７Ｂ端子とドッキングコネクタ１０３ａのＢ７端子とを電気的に接続するプリント配線であり、アース配線１６５は、アースライン１６３に接続される基板コネクタ１０３ｂの２Ａ端子および２Ｂ端子に接続するプリント配線である。これにより、前記中枠１２に対する遊技盤２０の着脱に伴う活線挿脱の発生時には、定電圧ダイオード１４５の降伏電圧(５．０Ｖ)と同じ定電圧(５．０Ｖ)の電流が電気供給ライン１６２に流れるようになり、該降伏電圧より高い電圧の電流は該電気供給ライン１６２に流れない。従って、前記演出制御基板１５１からの電気供給ライン１６２には、定電圧ダイオード１４５の降伏電圧(５．０Ｖ)以上の電圧の電流が流れないので、該演出制御基板１５１のＩＣや基板部品が破損したり焼損することを防止し得る。
【００６８】
また、前記定電圧ダイオード１４５は、図８(ｂ)に示すように、前記第４中継基板１０３において、前記ドッキングコネクタ１０３ａおよび基板コネクタ１０３ｂが配設された表面(板面)１０３Ａと反対の裏面(板面)１０３Ｂに、前記定電圧ダイオード１４５が配設されている。この裏面１０３Ｂは、前記電源供給配線１６４およびアース配線１６５を含むプリント回路が形成された面である。これにより、図１１に示すように、前記設置部材９０の第４基板設置部９８に第４中継基板１０３を設置した状態では、該第４中継基板１０３の表面１０３Ａが設置部材９０から後方へ露出する一方、該第４中継基板１０３の裏面１０３Ｂが設置部材９０の設置壁部９１(下板部９１ｄ)と対向するので、前記定電圧ダイオード１４５は設置部材９０から後方へ露出していない。これにより、前記定電圧ダイオード１４５が、第４中継基板１０３の裏面１０３Ｂよりも突出した状態で該中継基板１０３に配設されていても、前記中枠１２に対する遊技盤２０の着脱作業に際して、定電圧ダイオード１４５が中枠１２やその他の部材、部位と接触することがない。従って、定電圧ダイオード１４５が他部材と接触することによる該定電圧ダイオード１４５の物理的な破損を防止することが可能となっている。また、定電圧ダイオード１４５が他部材と接触した衝撃により、電源供給配線１６４との接続不良またはアース配線１６５との接続不良が発生することも防止し得る。
【００６９】
本願発明者は、前記定電圧ダイオード１４５を、演出制御基板１５１から前枠中継基板１５７への電気供給ライン１６２とアースライン１６３との間に介装しない場合には、前記中枠１２に対する遊技盤２０の着脱に伴う活線挿脱が発生すると、前記演出制御基板１５１に配設された前記信号ライン保護用ダイオード１６０やその他の基板部品が破損する事象を確認していた。しかしながら、前記定電圧ダイオード１４５を、前記電気供給ライン１６２とアースライン１６３との間に介装した場合には、中枠１２に対する遊技盤２０の着脱に伴う活線挿脱が多数回発生しても、演出制御基板１５１に配設された前記信号ライン保護用ダイオード１６０やその他の基板部品が破損する事象が発生しないことを確認した。すなわち、電気供給ライン１６２とアースライン１６３との間に介装した定電圧ダイオード１４５が、中枠１２に対する遊技盤２０の着脱に伴う活線挿脱の発生時に、演出制御基板１５１に配設されたＩＣや基板部品を保護することに有効に寄与することになる。
【００７０】
(基板コネクタおよび配線コネクタの固定部について)
前記第１〜第４中継基板１００〜１０３に配設された各基板コネクタ(ドッキングコネクタ)１００ａ,１００ｂ,１０１ａ,１０１ｂ,１０２ａ,１０２ｂ,１０３ａ,１０３ｂは、接続される電線の本数に応じた複数の端子ピンが配列された矩形のボックス型端子である。そして、基板コネクタ１００ａ〜１０３ｂおよび電気配線における電線の端部に連結された配線コネクタには、両コネクタの接続を固定する固定部１１０が設けられたものがある。ここでは、第３中継基板１０２に設けられた基板コネクタ１０２ｃと、該基板コネクタ１０２ｃに接続される前記第３電気配線１３２の端部に連結される配線コネクタ１３２ａとを例示して、図１１および図１２を引用して説明する。
【００７１】
図１１および図１２に示すように、実施例の固定部１１０は、矩形状に形成された基板コネクタ１０２ｃの一辺に設けられた係止受部１１１と、第３電気配線１３２に連結された配線コネクタ１３２ａに設けられた係止部１１２とで構成されている。この固定部１１０は、第３電気配線１３２の配線コネクタ１３２ａが基板コネクタ１０２ｃに対して適切に差し込んで接続されると、該配線コネクタ１３２ａを該基板コネクタ１０２ｃから外す方向において係止部１１２が係止受部１１１に係止するよう構成されている。これにより、配線コネクタ１３２ａが基板コネクタ１０２ｃに接続されて係止部１１２が係止受部１１１に係止した状態では、当該配線コネクタ１３２ａが基板コネクタ１０２ｃから外すことが不可能となる。
【００７２】
また、前記配線コネクタ１３２ａまたは基板コネクタ１０２ｃには、図１１および図１２に示すように、前記固定部１１０における係止部１１２と係止受部１１１との係止を解除する操作部が設けられている。実施例では、配線コネクタ１３２ａに、操作部としての操作片１１３が、係止部１１２と一体をなすレバー状に形成されている。この操作片１１３は、配線コネクタ１３２ａに連なった支点部を境として前記係止部１１２と反対側に延出している。そして、操作片１１３を配線コネクタ１３２ａの外面に近接する方向へ押して、該操作片１１３が該配線コネクタ１３２ａ側へ変位することで、係止部１１２が係止受部１１１から離間する方向へ変位して該係止部１１２と係止受部１１１との係止が解除され、配線コネクタ１３２ａを基板コネクタ１０２ｃから引き抜いて外すことが可能となる。
【００７３】
(電気配線の配設態様について)
次に、実施例のパチンコ機１０において、固定部１１０を備えた基板コネクタに接続する前記電気配線の特徴的な配設態様について、図面を引用して説明する。ここでは、前記第３中継基板１０２に設けられた基板コネクタ１０２ｃ,１０２ｄと、該基板コネクタ１０２ｃに接続される前記第３電気配線１３２と、該基板コネクタ１０２ｄに接続される前記第２電気配線１３１とを例示して説明する。
【００７４】
図１１は、前記第３中継基板１０２の基板コネクタ１０２ｄに接続される電源用の前記第２電気配線１３１および該第３中継基板１０２の基板コネクタ１０２ｄに接続される信号用の前記第３電気配線１３２の配設態様を示す説明図である。ここで、第３中継基板１０２は、横長の基板であり、図１１における基板左側に前記第１ドッキングコネクタ１０２ａおよび第２ドッキングコネクタ１０２ｂが上下の関係で配置されていると共に、基板右側に前記信号用の基板コネクタ(第２コネクタ)１０２ｃおよび電源用の基板コネクタ(第２コネクタ)１０２ｄが左右の関係で配置されている。そして、信号用の基板コネクタ１０２ｃおよび電源用の基板コネクタ１０２ｄは、何れも長方形のボックス型端子であり、長手方向が左右となる向きで、第３中継基板１０２の板面から突出している。更に、信号用の基板コネクタ１０２ｃおよび電源用の基板コネクタ１０２ｄは、固定部１１０を構成する係止受部１１１が、第３基板設置部９７に第３中継基板１０２を設置した状態において上方となる向きで該第３中継基板１０２に配設されている。
【００７５】
そして、図１１および図１２に示すように、実施例では、基板コネクタ１０２ｃに接続する信号用の前記第３電気配線１３２における電線１３２ｂからなる本体は、該第３電気配線１３２の配線コネクタ(第１コネクタ)１３２ａに設けられた前記操作片１１３を上から覆う状態で延在して、メイン制御基板１５０に向けて配設されている。同様に、基板コネクタ１０２ｄに接続する電源用の前記第２電気配線１３１における電線１３１ｂからなる本体は、該第２電気配線１３１の配線コネクタ(第１コネクタ)１３１ａに設けられた前記操作片１１３を上から覆う状態で延在して、メイン制御基板１５０に向けて配設されている。ここで、信号用および電源用の各基板コネクタ１０２ｃ,１０２ｄは、横長の長方形に形成されて係止受部１１１が上側に位置しており、各電気配線１３１,１３２の配線コネクタ１３１ａ,１３２ａは、操作片１１３が上側に位置する向きで、該基板コネクタ１０２ｃ,１０２ｄに接続される。従って、信号用の第３電気配線１３２の電線１３２ｂは、配線コネクタ１３２ａから上方へ曲げて上方へ延在させることで、当該第３電気配線１３２の配線コネクタ１３２ａに設けられた操作片１１３を覆うようになる。また、電源用の第２電気配線１３１の電線１３１ｂは、配線コネクタ１３１ａから上方へ曲げて上方へ延在させることで、当該第２電気配線１３１の配線コネクタ１３１ａに設けられた操作片１１３を覆うようになる。
【００７６】
ここで、前記信号用の第３電気配線１３２における配線コネクタ１３２ａの操作片１１３は、図１１に示すように、左右方向が幅寸法Ｗ１となる板状片である。一方、信号用の第３電気配線１３２の配線コネクタ１３２ａは、複数(実施例では１１個)の端子ピンが横一列に並ぶ端子群が上下２段で配置された構成となっており、各端子ピンに電線１３２ｂが夫々接続されている。従って、信号用の第３電気配線１３２は、１１個の端子ピンの配設幅と略同じかまたは僅かに狭い幅寸法Ｗ２で、電線１３２ｂが操作片１１３側へ曲げられるようになり、信号用の第３電気配線１３２の本体は、この幅寸法Ｗ２の幅で操作片１１３を覆うことになる。ここで、信号用の第３電気配線１３２における本体の幅寸法Ｗ２は、操作片１１３の幅寸法Ｗ１より大きく設定されている。
【００７７】
また、前記電源用の第２電気配線１３１における配線コネクタ１３１ａの操作片１１３は、図１１に示すように、左右方向が幅寸法Ｗ１となる板状片である。一方、電源用の第２電気配線１３１の配線コネクタ１３１ａは、複数(実施例では１１個)の端子ピンが横一列に並ぶ端子群が上下２段で配置された構成となっており、各端子ピンに電線１３１ｂが夫々接続されている。従って、電源用の第２電気配線１３１は、１１個の端子ピンの配設幅と略同じかまたは僅かに狭い幅寸法Ｗ２で、電線１３１ｂが操作片１１３側へ曲げられるようになり、電源用の第２電気配線１３１の本体は、この幅寸法Ｗ２の幅で操作片１１３を覆うことになる。ここで、電源用の第２電気配線１３１における本体の幅寸法Ｗ２は、操作片１１３の幅寸法Ｗ１より大きく設定されている。
【００７８】
すなわち、実施例の第３中継基板１０２では、信号用の第３電気配線１３２の配線コネクタ１３２ａに配設した操作片１１３を、当該第３電気配線１３２の本体で覆うよう構成したことで、操作片１１３の操作が該第３電気配線１３２の本体により規制されて、係止受部１１１と係止部１１２とのロックを解除することが困難となっている。従って、実施例の電気配線の配設態様によれば、信号用の第３電気配線１３２の配線コネクタ１３２ａと第３中継基板１０２の信号用の基板コネクタ１０２ｃとの接続を解除する不正行為を行い難くなっている。同様に、電源用の第２電気配線１３１の配線コネクタ１３１ａに配設した操作片１１３を、当該第２電気配線１３１の本体で覆うよう構成したことで、操作片１１３の操作が該第２電気配線１３１の本体により規制されて、係止受部１１１と係止部１１２とのロックを解除することが困難となる。従って、実施例の電気配線の配設態様によれば、電源用の第２電気配線１３１の配線コネクタ１３１ａと第３中継基板１０２の電源用の基板コネクタ１０２ｄとの接続を解除する不正行為を行い難くなっている。特に、第３中継基板１０２の基板コネクタ１０２ｃに接続される信号用の第３電気配線１３２および基板コネクタ１０２ｄに接続される電源用の第２電気配線１３１は、何れも前記メイン制御基板１５０に接続される電気配線であり、当該パチンコ機１０において特に重要な電気配線である。このように重要な第２電気配線１３１および第３電気配線１３２に対して、実施例の配線態様によれば、別途の不正規制部材を装着することなく操作片１１３の不正操作を抑制することが可能である。
【００７９】
(配線支持片１１６について)
前記設置壁部９１の下板部９１ｄの後面には、図１１および図１２に示すように、前記第３電気配線１３２の電線１３２ｂを保持する配線支持片１１６が設けられている。この配線支持片１１６は、第３基板設置部９７の上方に設けられており、実施例では、第３基板設置部９７に設置した第３中継基板１０２に配設された基板コネクタ１０２ｃの略真上に離間した位置に設けられている。配線支持片１１６は、下板部９１ｄの後面から後方へ立設され、Ｌ字形をなして側方および上下に開口すると共に弾性変形が可能となっており、第３電気配線１３２の電線１３２ｂを側方から挿入して支持することが可能となっている。従って、基板コネクタ１０２ｃに接続された第３電気配線１３２の電線１３２ｂは、該基板コネクタ１０２ｃの上方に向けて延出させることで、操作片１１３を覆った状態で配線支持片１１６に支持させることが可能である。
【００８０】
(支持壁１１５について)
図１１および図１２に示すように、前記第３基板設置部９７の上縁に、支持壁(支持部)１１５が設けられている。この支持壁１１５は、前記第３基板設置部９７に第３中継基板１０２を設置した状態において、前記信号用の基板コネクタ１０２ｃおよび電源用の基板コネクタ１０２ｄの近傍でかつ前記信号用の第３電気配線１３２および電源用の第２電気配線１３１の本体が延在する側に設けられている。そして、支持壁１１５の後方への突出寸法は、前記第３基板設置部９７に第３中継基板１０２を設置した状態において、信号用の基板コネクタ１０２ｃおよび電源用の基板コネクタ１０２ｄの後方への突出寸法よりも長く設定されている(図１２参照)。従って、支持壁１１５は、信号用の第３電気配線１３２の配線コネクタ１３２ａおよび電源用の第２電気配線１３１の配線コネクタ１３１ａよりも後方へ突出している。これにより、操作片１１３を上から(後方から)覆う状態で延在する該第３電気配線１３２の本体をなす電線１３２ｂおよび第２電気配線１３１の本体をなす電線１３１ｂを、支持壁１１５の先端で支持すると共に位置規制することが可能となっている。ここで、支持壁１１５による各電気配線１３１,１３２の本体の位置規制とは、該電気配線１３１,１３２が下板部９１ｄの後面側へ移動することを規制することを意味する。
【００８１】
そして、図１１および図１２に示すように、前記支持壁１１５が、前記信号用の基板コネクタ１０２ｃおよび電源用の基板コネクタ１０２ｄの上方に隣接して位置し、かつ操作片１１３よりも後方へ突出していることで、該支持壁１１５と各基板コネクタ１０２ｃ,１０２ｄとの間に指先や器具を挿入し難くなっている。すなわち、操作片１１３,１１３に隣接して設けられている支持壁１１５の存在により該操作片１１３,１１３の操作が更に困難となり、操作片１１３を操作して第３電気配線１３２の配線コネクタ１３２ａを配線コネクタ１０２ｃから外す不正行為や、操作片１１３を操作して電源用の第２電気配線１３１の配線コネクタ１３１ａを配線コネクタ１０２ｄから外す不正行為を好適に規制可能となっている。
【００８２】
(第２および第３電気配線の保持について)
実施例では、図１１および図１２に示すように、前記信号用の第３電気配線１３２および電源用の第２電気配線１３１と異なる電気配線が、該第３電気配線１３２および第２電気配線１３１と交差する方向へ延在している。すなわち、前記第４中継基板１０３の基板コネクタ１０３ｂに配線コネクタ１３７ａが接続される第８電気配線１３７の電線１３７ｂが、第３中継基板１０２の上方に隣接する位置において設置壁部９１の後側を左右方向へ延在して、前記演出制御基板１５１に接続されている。この第８電気配線１３７は、第３中継基板１０２から上方へ延在する信号用の第３電気配線１３２および電源用の第２電気配線１３１に対して、後側の近接する位置を左右方向に延在している。また、第８電気配線１３７は、前記配線支持片１１６に隣接した位置に設けられた別の配線支持片１１７に支持され、設置壁部９１から離間する後方への移動が規制されている。従って、第８電気配線１３７は、信号用の第３電気配線１３２および電源用の第２電気配線１３１が、設置壁部９１の下板部９１ｄから離間する後方へ移動することを規制し得る。これにより、信号用の第３電気配線１３２の電線１３２ｂまたは電源用の第２電気配線１３１の電線１３１ｂを設置壁部９１(下板部９１ｄ)から離間するように後方へ移動させて、該電気配線１３２,１３１の配線コネクタ１３２ａ,１３１ａに配設された操作片１１３,１１３を操作することを規制可能となっている。
【００８３】
(第１中継基板１００における基板コネクタの配設態様について)
図１３に示すように、前記第１中継基板(基板)１００は、該基板１００の一方に片寄って配設された基板コネクタ(第２コネクタ)１００ａ,１００ｂと、該基板１００の前記一方と反対の他方に片寄って配設された基板コネクタ(第２コネクタ)１００ｂとは、反対となる外側に操作片１１３が位置する姿勢で該第１中継基板１００に配設されている。すなわち、第１中継基板１００は、矩形状の該基板１００における上下方向の略中央において左右方向へ延在する境界ラインＬを境として、該境界ラインＬより上方(一方)に位置する基板コネクタ１００ａ,１００ｂは、固定部１１０および操作片１１３が上側に位置するように該第１中継基板１００に配設されている。また、前記境界ラインＬを境として、該境界ラインＬより下方(他方)に位置する基板コネクタ１００ｂは、固定部１１０および操作片１１３が下側に位置するように該第１中継基板１００に配設されている。
【００８４】
従って、第１中継基板１００では、前記第３中継基板１０２と同様に、固定部１１０および操作片１１３を覆うように電気配線の電線を配設することが可能である。この場合に、前記境界ラインＬより上方に位置する各基板コネクタ(第２コネクタ)１００ａ,１００ｂに配線コネクタ(第１コネクタ)が接続された電気配線の電線は、上方へ曲げて延在するように配設する。また、境界ラインＬより下方に位置する各基板コネクタ(第２コネクタ)１００ｂに配線コネクタ(第１コネクタ)が接続された電気配線の電線は、下方へ曲げて延在するように配設する。これにより、第１中継基板１００の上方に片寄って配設された基板コネクタ１００ａ,１００ｂに接続された電気配線の電線と、該基板１００の下方に片寄って配設された基板コネクタ１００ｂに接続された電気配線の電線とが、上下の反対向きに分けて延在するようになるので、基板コネクタ１００ａ,１００ｂに接続された各電気配線が第１中継基板１００上で重なって絡まったり嵩張ることを防止し得る。
【００８５】
また、図１３に示すように、第１中継基板１００の上方に片寄って配設され、かつ上下に隣接して位置する基板コネクタ１００ａ,１００ｂにおいては、下側に位置する基板コネクタ１００ｂに接続された電気配線の電線が、上側に位置する基板コネクタ１００ａ,１００ｂを覆うように延出させ得る。従って、上側に位置する基板コネクタ１００ａ,１００ｂの固定部１１０および操作片１１３を、下側に位置する基板コネクタ１００ｂに接続された電気配線の電線でも覆うことが可能であり、配線コネクタを基板コネクタから取り外す不正行為をより一層困難にし得る。同様に、第１中継基板１００の下方に片寄って配設され、かつ上下に隣接して位置する基板コネクタ１００ｂにおいては、上側に位置する基板コネクタ１００ｂに接続された電気配線の電線が、下側に位置する基板コネクタ１００ｂを覆うように延在させ得る。従って、下側に位置する基板コネクタ１００ｂの固定部１１０および操作片１１３を、上側に位置する基板コネクタ１００ｂに接続された電気配線の電線でも覆うことが可能であり、配線コネクタを基板コネクタから取り外す不正行為をより一層困難にし得る。
【００８６】
(第２始動入賞装置３４および発光基板７０の電気配線の配設構造について)
実施例のパチンコ機１０は、前述すると共に図５および図１６に示すように、遊技盤２０に配設した前記枠状装飾体５５に、メイン制御基板１５０により作動制御される前記第２始動入賞装置３４が配設されていると共に、演出制御基板１５１により発光制御される前記発光基板７０が配設されている。これら第２始動入賞装置３４および発光基板７０は、何れも遊技盤２０の中央に近い位置に配設されている。そこで、実施例のパチンコ機１０では、前記第２始動入賞装置３４からの第１０電気配線１３９および第１１電気配線１４０と、発光基板７０からの第１２電気配線１４１とを、設置部材９０の後側へ延出させるための配線導通部１２０が設けられている。この配線導通部１２０は、図１４および図１５に示すように、前記設置部材９０に設けられた配線導出部１２１と、前記枠状装飾体５５に設けられた配線案内部１２２とから構成されている。すなわち、配線導通部１２０は、前記枠状装飾体５５の後側から後方へ略直線状に延在するように設けられており、第２始動入賞装置３４および発光基板７０からの第１０〜第１２電気配線１３９,１４０,１４１を、設置部材９０の後側へ直線状に配設し得るようになっている。
【００８７】
(配線導出部１２１について)
前記配線導出部１２１は、図１４および図１５に示すように、設置部材９０における前記表示開口９４に隣接する位置において、該設置部材９０の前後方向に開口するように開設されている。そして、配線導出部１２１は、設置部材９０の設置壁部９１において、表示開口９４の開口縁に開口すると共に該設置壁部９１の前後に開口している。実施例の配線導出部１２１は、設置壁部９１において、矩形状に形成された表示開口９４における下縁の右側に偏った位置に、上方および前後に開口した溝部である。ここで、配線導出部１２１の形成位置は、配線接続部である前記第２基板設置部９６と第３基板設置部９７との間の上方に位置している。従って、第２始動入賞装置３４または発光基板７０に接続されて後方へ延出する前記第１０〜第１２電気配線１３９,１４０,１４１が、表示開口９４内から、電線を配線導出部１２１へ挿入することが可能となっている。そして、配線導出部１２１に挿入された各電気配線１３９,１４０,１４１は、設置部材９０の後側において、第２基板設置部９６に隣接した位置へ延出するようになる。そして、配線導出部１２１に挿入された第１０〜第１２電気配線１３９,１４０,１４１は、表示開口９４の下縁よりも下方に位置するようになり、該表示開口９４へはみ出さない。
【００８８】
なお、実施例では、図３および図１６に示すように、設置部材９０の設置壁部９１における下板部９１ｄの前側に、表示開口９４の下縁に臨む装飾部材１１９が設けられている。従って、この装飾部材１１９の上部には、前記配線導出部１２１の前側に対応する位置に、上方へ開口すると共に前後に開口する凹部１１９ａが設けられている。すなわち、凹部１１９ａは、配線導出部１２１と前後方向へ整列するように形成されている。従って、第１０〜第１２電気配線１３９,１４０,１４１の電線は、配線導出部１２１および凹部１１９ａに挿入される。
【００８９】
(配線案内部１２２について)
前記配線案内部１２２は、図１４〜図１７に示すように、前記枠状装飾体５５の後面から前記配線導出部１２１へ向けて開口している。配線案内部１２２は、前記枠状装飾体５５のカバー部材５９における縦壁部６３の後面から後方へ延出した筒状部である。配線案内部１２２の前後長は、カバー部材５９の縦壁部６３の後面と設置部材９０の設置壁部９１における下板部９１ｄとの間の前後間隔に合わせて設定されている。実施例では、下板部９１ｄの前側に前記装飾部材１１９が配設されているため、配線案内部１２２の前後長は、カバー部材５９の縦壁部６３の後面と装飾部材１１９の前面との間の前後間隔に合わせて設定される。ここで、実施例では、配線案内部１２２が、枠状装飾体５５と別体に形成されて、該枠状装飾体５５にネジ止めされるようになっている。なお、配線案内部１２２は、枠状装飾体５５(カバー部材５９)と一体に形成したものであってもよい。
【００９０】
前記配線案内部１２２は、図１７に示すように、枠状装飾体５５への取り付け前の状態では、前側および後側に開口する角筒状に形成されており、その上壁および左側壁には、枠状装飾体５５にネジ止めするためのネジ(図示せず)が挿通する取付部１２３,１２３が形成されている。そして、配線案内部１２２は、カバー部材５９の縦壁部６３の後面に設けられた取付ボス６３ａ,６３ａに対して前記取付部１２３,１２３をネジにより固定することで、前側開口が塞がれた状態で該カバー部材５９に取り付けられる。なお、図１７(ａ)に示すように、カバー部材５９の縦壁部６３は、配線案内部１２２が取り付けられる部分に対応する領域に、磨りガラス状に処理された不透明部６３ｂが設けられている。これにより、配線案内部１２２に挿通された前記第１０〜第１２電気配線１３９,１４０,１４１は、不透明部６３ｂにより前側から透視不能に構成されている。
【００９１】
前記配線案内部１２２は、図１７(ａ)および図１７(ｂ)に示すように、その右側壁に、前後に延在すると共に、該右側壁の後端に開口するスリット１２４が形成されている。このスリット１２４は、枠状装飾体５５のカバー部材５９の後面に配線案内部１２２が取り付けられた状態において、該カバー部材５９の右後方外側に引き出された前記第１０〜第１２電気配線１３９,１４０,１４１を、当該配線案内部１２２内へ収容するためのものである。ここで、前記スリット１２４は、図１４および図１７(ａ)に示すように、前後方向の中途位置において下方へ凸となる屈曲部を有しており、該屈曲部の前側部分が前方へいくにつれて上方傾斜していると共に、該屈曲部の後側部分が後方へいくにつれて上方傾斜している。すなわち、スリット１２４は、側面視において略Ｖ字状に延在している。これにより、配線案内部１２２内を前後方向へ直線状に延在するよう収容された前記第１０〜第１２電気配線１３９,１４０,１４１が、振動等により該スリット１２４を介して配線案内部１２２の外側へ抜け出ることを規制し得るようになっている。なお、スリット１２４の延在形状は、Ｖ字状に限らず、Ｓ字状に湾曲したり、ジグザグ状に折れ曲がって延在するよう形成されたものであってもよい。
【００９２】
また、図１７(ａ)に示すように、配線案内部１２２の右側壁には、該右側壁の前縁に隣接すると共に、前記スリット１２４に連通する配線挿通口１２５が形成されている。この配線挿通口１２５は、スリット１２４よりも上下開口幅が大きく設定されており、該配線挿通口１２５とスリット１２４との境界部に段差が形成されている。これにより、スリット１２４を介して配線案内部１２２内へ収容した第１０〜第１２電気配線１３９,１４０,１４１は、該配線挿通口１２５に位置させることで、段差部によりスリット１２４側へ移動し難くなっている。
【００９３】
また、図１４および図１７(ｂ)に示すように、配線案内部１２２の後端部における下側部分は、下方にいくにつれて前方へ変位するよう傾斜した切り欠き部１２６が形成されている。これにより配線案内部１２２は、図１４に示すように、設置壁部９１の下板部９１ｄ(装飾部材１１９)の前面に対して後端部の上側部分が近接した状態において、該下板部９１ｄ(装飾部材１１９)との間に隙間が形成されるようになっている。これにより、例えば、設置壁部９１の下板部９１ｄの前側に配設した電気部品からの電気配線を、隙間を介して配線導出部１２１へ通すことを可能とする。
【００９４】
実施例の前記配線案内部１２２は、透明または半透明の合成樹脂から形成されて透光性を有しており、該配線案内部１２２の近傍に配設されている発光基板のＬＥＤチップが発光した際に、その光を透過可能に構成されている。そして、配線案内部１２２の内壁面は、透過した光を拡散可能な光拡散面１２７となっている。実施例では、図１７(ａ)および図１７(ｂ)に示すように、配線案内部１２２における電気配線の挿通方向(前後方向)へ延在する突状部が周方向へ複数並んで形成されており、光拡散面１２７は所謂波板状に形成されている。これにより、配線案内部１２２は、外側から照射されて壁部を透過した光が光拡散面１２７で拡散され、該壁部から外方へ反射させ得るように構成されている。なお、光拡散面１２７を形成する各突状部の外面は曲面に形成されている。従って、配線案内部１２２内に挿通した第１０〜第１２電気配線１３９,１４０,１４１が光拡散面１２７に接触した場合に、該電気配線１３９,１４０,１４１が突状部に引っ掛かり難いので、該第１０〜第１２電気配線１３９,１４０,１４１の外側被覆材が摩耗し難くなっている。
【００９５】
従って、前記配線導通部１２０を備えた実施例のパチンコ機１０は、遊技盤２０の装着口２０ａに取り付けられた枠状装飾体５５に配設した電気機器である第２始動入賞装置３４からの第１０電気配線１３９および第１１電気配線１４０と、発光基板７０からの第１２電気配線１４１とを、設置部材９０の設置壁部９１に形成した表示開口９４に隣接して設けられた配線導出部１２１を介して該設置部材９０の後側へ延出させることができる。これにより、第２始動入賞装置３４や発光基板７０の電気配線１３９,１４０,１４１は、遊技盤２０の後面に沿わせると共に設置部材９０の外周壁部９２および設置壁部９１の外側を沿わせるように迂回して配設する場合と比べて、配設距離が大幅に短くなって該電気配線１３９,１４０,１４１が短くなっている。また、前記第１０〜第１２電気配線１３９,１４０,１４１は、遊技盤２０と設置部材９０とを組み付ける際に、表示開口９４の内側から配線導出部１２１へ挿入するだけで設置部材９０の後側へ延出するようになる。そして、枠状装飾体５５の後側に配設した配線案内部１２２に各電気配線１３９,１４０,１４１を収容することで、枠状装飾体５５と設置壁部９１との間の空間に該電気配線１３９,１４０,１４１が露出しない。
【００９６】
〔実施例の作用〕
次に、前述のように構成された実施例に係るパチンコ機１０の作用につき説明する。
【００９７】
(枠状装飾体５５の組み立て)
前記枠状装飾体５５は、図１６に示すように、枠部材６０に対して、後側からステージ部材６１、カバー部材５９、装飾部材７１〜７３等を取り付ける。このとき、カバー部材５９を枠部材６０に取り付ける前に、ステージ部材６１の基板保持部６１ｄに対して発光基板７０を保持させる。そして、ステージ部材６１を取り付けた枠部材６０に対するカバー部材５９の取り付け時に、発光基板７０に接続された第１２電気配線１４１を、右方(図１６では左方)へ延在させた状態でステージ部材６１とカバー部材５９の下壁部６５との間の空間に収容すると共に、ステージ部材６１の右端とカバー部材５９の右端との間の隙間から外方へ延出させる。
【００９８】
また、前記第２始動入賞装置３４は、図１６に示すように、枠部材６０に設けられた入賞装置設置部６７に対して、始動入賞ソレノイド３７を組み付けたベース部材６８を後側から取り付けると共に、開閉部材３６を前側から取り付ける。また、入賞装置設置部６７に設けた開口に対して、第２始動入賞検出センサ３８を取り付ける。そして、始動入賞ソレノイド３７に接続された第１０電気配線１３９および第２始動入賞検出センサ３８に接続された第１１電気配線１４０を、枠部材６０の後方へ延出させる。
【００９９】
(配線案内部１２２の取り付けおよび配線処理)
そして、カバー部材５９の縦壁部６３の後面に、配線導通部１２０を構成する配線案内部１２２を取り付ける。次いで、配線案内部１２２に形成されたスリット１２４を介して、前記第１０〜第１２電気配線１３９,１４０,１４１を、該配線案内部１２２内へ挿入する。そして、第１０〜第１２電気配線１３９,１４０,１４１は、配線案内部１２２に形成された配線挿通口１２５に電線を挿通させた状態で、該配線案内部１２２の後側開口から外方へ延出させる(図１５参照)。
【０１００】
図１５に示すように、前記各部材を組み付けた枠状装飾体５５は、遊技盤２０の装着口２０ａに対して、該遊技盤２０の前側から組み付ける。これにより、枠状装飾体５５に組み付けた前記配線案内部１２２は、該遊技盤２０の後面から後方へ延出した状態となる。そして、各種機器、装置および部材を取り付けた遊技盤２０に対して前記設置部材９０を取り付けることで、該設置部材９０の設置壁部９１に設けられた配線導出部１２１の前側に、前記配線案内部１２２の後側開口が前側から対向するようになり、配線導通部１２０を構成する該配線導出部１２１および配線案内部１２２が前後方向に整列する(図１４参照)。
【０１０１】
(配線導通部１２０に関連する電気配線の配設処理)
前記遊技盤２０に前記設置部材９０を組み付ける際に、配線案内部１２２の後側開口から後方へ延出している前記第１０〜第１２電気配線１３９,１４０,１４１を、設置部材９０の表示開口９４内に引き込むと共に、該第１０〜第１２電気配線１３９,１４０,１４１の各電線を、該表示開口９４内から前記配設導出部１２１へ挿入する。これにより、第１０〜第１２電気配線１３９,１４０,１４１は、第２基板設置部９６と第３基板設置部９７との間の上方において、配線導出部１２１から設置壁部９１の後方へ延出する。設置壁部９１の後方へ延出した第１０および第１１電気配線１３９,１４０は、各電線が１つの配線コネクタ１４２に接続されており(図１４参照)、前記第２中継基板１０１における所定の基板コネクタ１０１ｂに該配線コネクタ１４２を接続する。また、設置壁部９１の後方へ延出した第１２電気配線１４１は、電線の端部に配線コネクタ１４３が接続されており(図１４参照)、前記第１中継基板１００における所定の基板コネクタ１００ｂに該配線コネクタ１４３を接続する。
【０１０２】
従って、前記遊技盤２０に取り付けられた枠状装飾体５５に配設されている第２始動入賞装置３４に接続された第１０、第１１電気配線１３９,１４０と、発光基板７０に接続された第１２電気配線１４１とを、設置部材９０に形成した表示開口９４に隣接して設けられた配線導出部１２１を介して該設置部材９０の後側へ延出させて、該設置部材９０の後側に配設された第１中継基板１００または第２中継基板１０１に接続することができる。これにより、第２始動入賞装置３４から第２中継基板１０１までの各電気配線１３９,１４０の配設距離が短くなるので、該電気配線１３９,１４０の電線の短縮化を図り得る。また、発光基板７０から第１中継基板１００までの第１２電気配線１４１の配設距離も短くなるので、該第１２電気配線１４１の電線の短縮化を図り得る。従って、第１０〜第１２電気配線１３９〜１４１の長さが短くなるので、材料費が削減されてコストを抑えることができると共に、電気配線の配設作業を簡単にすることができる。
【０１０３】
そして、設置部材９０に設けられた配線導出部１２１は、表示開口９４に開口すると共に前後に開口する溝部であるから、配線案内部１２２から後方へ延出した各電気配線１３９,１４０,１４１の電線を、該表示開口９４側から該配線導出部１２１へ容易に挿入することができ、各電気配線１３９,１４０,１４１の配設作業が容易になると共に作業時間の短縮化も図り得る。また、枠状装飾体５５の後側に取り付けられた配線案内部１２２は、設置部材９０の設置壁部９１に設けられた配線導出部１２１の前方まで延出するようになっているので、前記第１０〜第１２電気配線１３９,１４０,１４１が、遊技盤２０の後側と設置壁部９１の前側との間に画成された空間へ殆ど露出しない。これにより、各電気配線１３９,１４０,１４１が、前記空間内に配設された前記可動演出装置７６やその他の部材と接触することが回避され、該電気配線１３９,１４０,１４１が切断したり損傷することを防止し得る。
【０１０４】
(第３中継基板１０２に関連する電気配線の配線処理)
図１１および図１２に示すように、前記第３中継基板１０２の基板コネクタ１０２ｃに、メイン制御基板１５０の信号入出力部に接続される第３電気配線１３２の配線コネクタ１３２ａを接続して、該第３電気配線１３２の本体を、上方へ曲げると共に上方へ延出させる。これにより、第３電気配線１３２は、前記支持壁１１５の先端に接触すると共に、配線コネクタ１３２ａに設けられた操作片１１３を覆うようになる。また、第３中継基板１０２の基板コネクタ１０２ｄに、メイン制御基板１５０の電源入力部に接続される第２電気配線１３１の配線コネクタ１３１ａを接続して、該第２電気配線１３１の本体を、上方へ曲げると共に上方へ延出させる。これにより、第２電気配線１３１は、前記支持壁１１５の先端に接触すると共に、配線コネクタ１３１ａに設けられた操作片１１３を覆うようになる。また、第４中継基板１０３の基板コネクタ１０３ｂに接続される第８電気配線１３７を、前記第２電気配線１３１および第３電気配線１３２の後側を通して、該基板コネクタ１０３ｂに接続する。
【０１０５】
従って、第３中継基板１０２の基板コネクタ１０２ｃに接続した配線コネクタ１３２ａに設けられた操作片１１３が、第３電気配線１３２の配線の本体により覆われるので、指先を操作片１１３に掛け難いので該操作片１１３の操作を行い難くなり、当該配線コネクタ１３２ａを基板コネクタ１０２ｃから外すことが困難となる。同様に、第３中継基板１０２の基板コネクタ１０２ｄに接続した配線コネクタ１３１ａに設けられた操作片１１３が、第２電気配線１３１の配線の本体により覆われるので、指先を操作片１１３に掛け難いので該操作片１１３の操作を行い難くなり、当該配線コネクタ１３１ａを基板コネクタ１０２ｄから外すことが困難となる。従って、第２電気配線１３１の配線コネクタ１３１ａと基板コネクタ１０２ｄとの接続を解除して、メイン制御基板１５０への電気供給を遮断する不正行為を困難にし得ると共に、第３電気配線１３２の配線コネクタ１３２ａと基板コネクタ１０２ｃとの接続を解除して、メイン制御基板１５０に対する信号の入出力を遮断する不正行為を困難にし得る。すなわち、操作片１１３を操作して基板コネクタ１０２ｃ,１０２ｄと配線コネクタ１３１ａ,１３２ａとの接続を不正に解除するような事態を、追加のコストをかけることなく簡単に規制することが可能である。
【０１０６】
そして、第２電気配線１３１の本体の幅寸法Ｗ２は、該第２電気配線１３１に接続された配線コネクタ１３１ａに設けられた操作片１１３の幅寸法Ｗ１より大きいので、該操作片１１３が第２電気配線１３１からはみ出ることなく覆われて、該操作片１１３に対する操作を更に困難にし得る。また、第３電気配線１３２の本体の幅寸法Ｗ２は、該第３電気配線１３２に接続された配線コネクタ１３２ａに設けられた操作片１１３の幅寸法Ｗ１より大きいので、該操作片１１３が第３電気配線１３２からはみ出ることなく覆われて、該操作片１１３に対する操作を更に困難にし得る。
【０１０７】
また、基板コネクタ１０２ｃに接続された配線コネクタ１３２の操作片１１３および基板コネクタ１０２ｄに接続された配線コネクタ１３１の操作片１１３が、第３中継基板１０２が設置された第３基板設置部９７の上方に隣接して設けられた支持壁１１５に隣接している。これにより、配線コネクタ１３２と支持壁１１５との間および配線コネクタ１３１と該支持壁１１５との間に指先や器具を入れ難くなるので、各操作片１１３,１１３の操作を更に困難にし得る。更にまた、第２電気配線１３１および第３電気配線１３２の電線１３１ｂ,１３２ｂは、前記第８電気配線１３７により設置壁部９１から離間する後方への移動が困難に押さえられているので、各電気配線１３１,１３２の電線１３１ｂ,１３２ｂを後方へ移動させて操作片１１３を操作することも困難にし得る。
【０１０８】
(中枠１２に対する遊技盤２０の着脱について)
前記中枠１２に対して遊技盤２０を着脱する際には、図２に示す如く、中枠１２に対して前記前枠１３を開放する。このように前枠１３を開放することで露出する中枠１２における下枠部の前面に、前記報知ＬＥＤ１７０が設けられており、前枠１３を開放した作業者に報知ＬＥＤ１７０を視認させることができる。すなわち、報知ＬＥＤ１７０が点灯状態であれば、作業者は主電源の供給状態であることを認識することができるので、遊技盤２０の着脱作業前に主電源を遮断して安全に作業させることができる。また、前枠１３を開放することで露出する中枠１２における下枠部の前面には、前記報知ＬＥＤ１７０に近接して貼着シール１７１が貼着されているので、該貼着シール１７１の表示によって遊技盤２０の着脱時には主電源を遮断することが望ましいことを作業者に注意喚起することができる。すなわち、報知ＬＥＤ１７０の点灯および貼着シール１７１の表示によって、遊技盤２０の着脱時には主電源を遮断することを作業者に促すことができるので、活線挿脱が行われるのを抑え、基板部品が破損等する不具合の発生を防ぐことができる。
【０１０９】
また、実施例のパチンコ機１０では、遊技盤２０の着脱作業に際して必須となる該遊技盤２０の固定状態を解除するために操作される前記固定具２９に近接して前記報知ＬＥＤ１７０および貼着シール１７１を設けているので、作業者が報知ＬＥＤ１７０の点灯状態および貼着シール１７１の表示を見落とす確率は極めて低く、作業者に確実に主電源を遮断させることを促すことができる。これにより、遊技盤２０の着脱作業に際して活線挿脱が行われる確率を、より低く抑えることができる。
【０１１０】
実施例のパチンコ機１０では、図９に示すように、前記演出制御基板１５１から前記前枠中継基板１５７への電気供給ライン１６２とアースライン１６３との間に、定電圧ダイオード１４５を介装してある。従って、電源基板１５６に外部電源が供給された状態で中枠１２に対する遊技盤２０の着脱が行われて、設置部材９０に配設された第３中継基板１０２のドッキングコネクタ１０２ａ,１０２ｂと中枠１２側の第１、第２中枠ドッキングコネクタ８１,８２との活線挿脱や、第４中継基板１０３のドッキングコネクタ１０３ａと中枠１２側の第３中枠ドッキングコネクタ８３との活線挿脱が発生した場合には、前記電気供給ライン１６２に、定常電圧よりも高い電圧の電流が流れることを前記定電圧ダイオード１４５により防止し得る。すなわち、中枠１２に対する遊技盤２０の着脱に伴う活線挿脱が発生した場合に、演出制御基板１５１から前枠中継基板１５７への電気供給ライン１６２に定常電圧よりも高い電圧の電流が流れないので、該演出制御基板１５１に配設されたＩＣや電子部品の破損や焼損を防止し得る。また、前記前枠中継基板１５７に電気的に接続された前記ランプ装置１７およびスピーカ１８等の電気機器に対しても、定常電圧よりも高い電圧の電流が流れることが阻止されるので、該前枠中継基板１５７の基板部材の破損や電気機器の故障を防止し得る。すなわち、実施例のパチンコ機１０では、前記報知ＬＥＤ１７０や貼着シール１７１によって、遊技盤２０の着脱作業に際しては主電源の遮断を促して活線挿脱が行われることを極力抑えるようにしているものの、誤って主電源を遮断することなく遊技盤２０の着脱作業が行われてしまった場合であっても、前記定電圧ダイオード１４５の存在によって基板部品の破損または焼損を確実に防止することができる。
【０１１１】
(別実施例について)
次に、別実施例のパチンコ機について、図１８を参照して説明する。なお、別実施例のパチンコ機については、前述した実施例のパチンコ機１０と異なる部分についてのみ説明し、既出の同一または同種の部材には同じ符号を付すものとする。
【０１１２】
ここで、パチンコ機において仕様の異なる遊技盤２０に交換する際には、該遊技盤２０のモチーフに合わせたデザインで設計された前枠１３も同時に交換する場合が多く、遊技盤２０を中枠１２に対して着脱する際には、併せて前枠１３も中枠１２に対して着脱する作業を伴う。そして、中枠１２に対して前枠１３を着脱する場合においても、活線挿抜が行われる場合がある。そこで、別実施例では、中枠１２に対して前枠１３を着脱する場合における活線挿抜に際して主電源の供給状態であることを報知して、該主電源の供給状態である場合には主電源を遮断することを促す手段を設けている。なお、活線挿抜が行われた場合における基板部品の破損等の不具合の発生を防ぐ構成(定電圧ダイオード１４５の接続位置や設置構造等)は実施例と同じである。
【０１１３】
別実施例のパチンコ機では、前記前枠１３を開放した際に露出する前記中枠１２における下枠部の前面に、前側中継基板１７２が配設されている。この前側中継基板１７２の後面には、前記第４中継基板１０３に一端が接続する電気配線の他端が接続されている。また、前側中継基板１７２の前面には、中継コネクタ１７３が接続口を前側に向けて設けられており、該中継コネクタ１７３に、前枠１３に配設されている前記前枠端子板１６１に一端が接続されている電気配線の他端に接続された配線コネクタ１７４が前側から挿抜自在に接続されるよう構成される。すなわち、別実施例では、前記第４中継基板１０３と前枠端子板１６１とを電気的に接続する第９電気配線１３８を、第４中継基板１０３と前側中継基板１７２とを接続する中枠側電気配線(図示せず)と、前枠端子板１６１と前側中継基板１７２とを接続する前枠側電気配線１７５とから構成している。
【０１１４】
別実施例では、前記中枠１２に設置された遊技盤２０(具体的には設置部材９０)に配設されて、主電源に接続する電源基板１３０から払出制御基板１５５、第３中継基板１０２、メイン制御基板１５０、演出制御基板１５１および第４中継基板１０３を介して電気が供給される前側中継基板１７２が、本体部材(中枠１２)に設けられ、主電源に接続する第１基板として機能する。なお、本体部材である中枠１２に対して開閉可能に支持される開閉部材としての前枠１３に配設される前枠中継基板１５７が、第１基板である前側中継基板１７２に対して前枠側電気配線１７５によって電気的に接続または解除される第２基板として機能することは実施例と同じである。そして、別実施例では、中枠１２に対して前枠１３を開放した状態で、中継コネクタ１７３に対して前枠側電気配線１７５の配線コネクタ１７４が前側から挿抜自在に接続される前側中継基板１７２が、電気的な接続または解除の作業が容易な基板である。
【０１１５】
前記前側中継基板１７２の前面に、図１８に示す如く、報知手段１７０として、主電源の供給状態で点灯するＬＥＤからなる報知ＬＥＤ(発光手段)１７０が設けられている。この報知ＬＥＤ１７０は、前記第４中継基板１０３および中枠側電気配線を介して前記演出制御基板１５１に電気的に接続されており、該演出制御基板１５１から電気の供給を受けて主電源の供給状態では常に点灯するよう構成される。また、報知ＬＥＤ１７０は、前側中継基板１７２における前記中継コネクタ１７３に近接する位置に設けられている。すなわち、前枠１３の着脱作業に際して、作業者が前枠側電気配線１７５の基板に対する接続または解除を行う可能性が高い前側中継基板１７２の中継コネクタ１７３の近傍に報知ＬＥＤ１７０を設けているので、該中継コネクタ１７３に対して前枠側電気配線１７５の配線コネクタ１７４を挿抜する際には必然的に報知ＬＥＤ１７０を視認する状態となり、前枠１３の着脱作業に際して報知ＬＥＤ１７０の点灯状態を作業者が見落とすことがない。
【０１１６】
また、前側中継基板１７２の前面には、前記実施例と同様に、報知ＬＥＤ１７０による報知に関連する事項を視認可能に表示する表示部材としての貼着シール１７１が、該報知ＬＥＤ１７０に近接して貼着されている。すなわち、別実施例においても、前枠１３を開放して報知ＬＥＤ１７０を視認した作業者は、必然的に貼着シール１７１も視認することとなり、報知ＬＥＤ１７０の点灯によりどのような事項が報知されているのかを作業者に認識させることができ、前枠１３の着脱時には主電源を遮断することをより強く促すことができる。ちなみに、別実施例の貼着シール１７１には、前記「主電源の供給中は報知ＬＥＤが点灯します！」の他に、例えば「報知ＬＥＤの点灯中は前枠の着脱は行わないで下さい！」、「前枠を着脱する場合は、報知ＬＥＤの消灯を確認して下さい！」等の事項が表示される。
【０１１７】
別実施例のパチンコ機では、前枠１３の着脱作業に際して作業者が該前枠１３を中枠１２に対して開放すれば、露出する報知ＬＥＤ１７０の点灯状態によって作業者に主電源の供給状態であることを報知できる。そして、報知ＬＥＤ１７０が点灯状態であれば、作業者は主電源の供給状態であることを認識することができるので、前枠１３の着脱作業前に主電源を遮断して安全に作業させることができる。また、報知ＬＥＤ１７０に近接して貼着シール１７１が貼着されているので、該貼着シール１７１の表示によって前枠１３の着脱時には主電源を遮断することが望ましいことを作業者に注意喚起することができる。すなわち、報知ＬＥＤ１７０の点灯および貼着シール１７１の表示によって、前枠１３の着脱時には主電源を遮断することを作業者に促すことができるので、活線挿抜が行われるのを抑え、基板部品が破損等する不具合の発生を防ぐことができる。
【０１１８】
また、別実施例のパチンコ機では、前枠１３の着脱作業に際して活線挿抜が行われる可能性の高い(配線コネクタの挿抜が容易な)前側中継基板１７２の中継コネクタ１７３に近接して前記報知ＬＥＤ１７０および貼着シール１７１を設けているので、作業者が報知ＬＥＤ１７０の点灯状態および貼着シール１７１の表示を見落とす確率は極めて低く、作業者に確実に主電源を遮断させることを促すことができる。これにより、前枠１３の着脱作業に際して活線挿抜が行われる確率を、より低く抑えることができる。なお、実施例のパチンコ機１０が奏するその他の作用効果を別実施例のパチンコ機が奏することは勿論である。
【０１１９】
〔変更例〕
本発明に係る遊技機は、実施例に例示の形態に限らず種々の変更が可能である。
（１）実施例では、活線挿脱(活線挿抜)対策の定電圧ダイオードを、演出制御基板から前枠中継基板への電気供給ラインとアースラインとの間に介装した場合を例示したが、この定電圧ダイオードの配設位置はこれに限らない。すなわち、活線挿脱(活線挿抜)による保護対象の基板と該保護対象の基板と電気的に接続される基板を接続する電気供給ラインとアースラインとの間に、定電圧ダイオードを介装することで、当該保護対象の基板に配設された基板部品を好適に保護し得る。
（２）定電圧ダイオードの配設位置は、基板と基板とを電気的に接続する中継基板に限定されない。例えば、メイン制御基板における電気供給ラインとアースラインとの間、演出制御基板における電気供給ラインとアースラインとの間、表示制御基板における電気供給ラインとアースラインとの間、等に定電圧ダイオードを介装してもよい。また、基板と基板とを電気的に接続する電気配線(ハーネス)における電源供給電線とアース電線とに、定電圧ダイオードを接続するようにしてもよい。
（３）実施例では、降伏電圧が５．０Ｖの定電圧ダイオードを例示したが、採用される定電圧ダイオードはこれに限らない。すなわち、介装される電気供給ラインに印加される電圧に応じて、適切な降伏電圧の定電圧ダイオードが選択される。
（４）活線挿脱(活線挿抜)が発生する接続手段は、実施例で例示したドッキングコネクタに限らず、電気配線における電線の端部に接続された配線コネクタと、該配線コネクタが接続される基板コネクタとからなる接続手段も対象とされる。
（５）実施例では、固定部および操作部を備えた基板コネクタに配線コネクタを接続する電気配線として、第３中継基板の基板コネクタに接続される第２電気配線および第３電気配線の配線処理について説明したが、当該配線処理は、固定部および操作部を備えた基板コネクタに配線コネクタを接続する全ての電気配線において実施可能である。
【０１２０】
（６）実施例では、遊技盤の後側へ延出した電気配線を配設する配線導通部を、設置部材における表示窓口に臨む位置に設けたが、該設置部材における該表示開口から離れた位置において設けてもよい。
（７）配線導出部は、表示窓口の下縁に限らず、該表示窓口の左側縁、右側縁または上縁に開口するように形成してもよい。
（８）設置部材の設置壁部に設けられる配線導出部は、前後に開口して電気配線が挿入可能な形状であればよく、凹状の溝部に限らず、上下および前後に開口したスリット形態や、前後にのみ開口する貫通口であってもよい。
（９）配線案内部は、筒状に構成されたものに限らず、上方や側方に開口した半樋状に形成されたものであってもよい。
（１０）枠状装飾体の縦壁部に前後へ貫通する貫通口を形成して、配線案内部の前側開口を該貫通口に整合させた状態で、該配線案内部を枠状装飾体に取り付けることで、前記貫通口から配線案内部内へ電気配線を直接に挿入するようにしてもよい。
【０１２１】
（１１）配線案内部の取付位置は、遊技盤に取り付けられる枠状装飾体の後側に限らず、該遊技盤に取り付けられる別の部材の後側に設けたり、該遊技盤の後面に取り付けるようにしてもよい。
（１２）実施例では、中枠を本体部材とし、前枠を開閉部材とした場合で説明したが、外枠を本体部材とし、該外枠に対して開閉可能に支持された中枠を開閉部材としたものであってもよい。
（１３）実施例では、表示部材として貼着シールを用いたが、該貼着シールに代えて、ボルトやネジ等によって対応箇所に取り付けられるプレート等であってもよい。
（１４）実施例では、報知手段として主電源の供給状態において点灯する発光手段を挙げたが、報知手段としては、その他の各種手段を採用し得る。例えば、主電源の供給状態において遊技盤や前枠が開放された場合に、スピーカから「扉が開放されています。主電源が供給されています。」等の音声を出力する構成を採用することができる。すなわち、スピーカを報知手段とすることができる。また、発光手段とスピーカとを併用すれば、視覚のみでなく、スピーカによる聴覚によっても主電源の供給状態を作業者に認識させることができ、遊技盤や前枠の着脱作業に際して主電源の遮断を促す効果が高くなる。
（１５）報知手段としては、前記メイン表示装置やサブ表示装置を用いることもできる。これら各表示装置は、中枠に対して前枠を開放した状態で前側から視認可能な報知手段である。例えば、遊技盤や前枠の開放を検知する検知手段を演出制御基板に接続し、該検知手段が主電源の供給状態において遊技盤や前枠が開放されたことを検知した信号が演出制御基板に入力された場合に、表示装置の表示部に、実施例や別実施例の貼着シール(表示部材)に表示されたと同様の各種文字情報を表示させる構成を採用し得る。
【０１２２】
（１６）実施例では、報知手段と表示部材とを別々に設ける場合で説明したが、報知手段と表示部材とを組み合わせて設ける構成を採用し得る。例えば、光透過性のプレートに、報知手段による報知に関連する事項を表わした文字情報を表示した表示部材を対応箇所(中枠等)に配設すると共に、該表示部材を後側から照明する報知手段としての発光手段を設け、該発光手段を発光することで表示部材に表示されている文字情報が際だつように視認可能となる構成を採用し得る。
（１７）別実施例では、中枠の前面に配設した前側中継基板にのみ報知手段および表示部材を設けたが、前枠の後面(前枠の開放により露出する部位)に露出するように前枠端子板または前枠中継基板を配設し、該前枠端子板または前枠中継基板に報知手段および表示部材を設ける構成を採用し得る。すなわち、電気配線の挿抜が行われる可能性のある２つの基板(第１基板および第２基板)の夫々に報知手段および表示部材を用けておけば、作業者によって異なる基板から電気配線を挿抜する場合であっても、主電源の供給状態であることを好適に報知することができる。
（１８）実施例では、メイン制御基板と演出制御基板とで分けて各種制御を行うようにしたが、メイン制御基板で行う制御を演出制御基板で行うようにしたり、逆に演出制御基板が行う制御をメイン制御基板で行うようにしてもよい。すなわち、メイン制御基板と演出制御基板とを分けることなく１つの制御基板として、パチンコ機の全体を制御する構成を採用し得る。
（１９）実施例では、遊技機としてのパチンコ機を示したが、遊技機はパチンコ機に限られるものではなく、外部電源(主電源)から電気が供給される各種基板を備えると共に、基板と電気的に接続される各種電気部品を備えたアレンジボール機やスロットマシン等であってもよい。
【０１２３】
本願には、次のような技術的思想が含まれている。
〔付記〕
請求項１の構成を含む遊技機において、
前記報知手段は、前記第１基板および前記第２基板以外に設けられている。
この構成によれば、報知手段の配設に際して、第１基板および第２基板の基板構成を変更する必要がない。
【符号の説明】
【０１２４】
１０３ 第４中継基板(中継基板)
１０３ａ ドッキングコネクタ(接続手段)
１０３Ａ 表面(板面)
１０３Ｂ 板面(裏面)
１４５ 定電圧ダイオード
１５１ 演出制御基板(第１基板)
１５７ 前枠中継基板(第２基板)
１６２ 電気供給ライン
１６３ アースライン
１６４ 電源供給配線
１６５ アース配線
１７０ 報知ＬＥＤ(報知手段、発光手段)
１７１ 貼着シール(表示手段)
１７２ 前側中継基板(第１基板)
【図１】
2018000630.tif 000003
【図２】
2018000630.tif 000004
【図３】
2018000630.tif 000005
【図４】
2018000630.tif 000006
【図５】
2018000630.tif 000007
【図６】
2018000630.tif 000008
【図７】
2018000630.tif 000009
【図８】
2018000630.tif 000010
【図９】
2018000630.tif 000011
【図１０】
2018000630.tif 000012
【図１１】
2018000630.tif 000013
【図１２】
2018000630.tif 000014
【図１３】
2018000630.tif 000015
【図１４】
2018000630.tif 000016
【図１５】
2018000630.tif 000017
【図１６】
2018000630.tif 000018
【図１７】
2018000630.tif 000019
【図１８】
2018000630.tif 000020